(57)【要約】【課題】生体系に存在する検体を断続的または持続的に測定する方法が提供される。【解決手段】生体系に存在する検体を断続的に測定する方法であって、（ａ）生体系の表皮または粘膜の表面と作動的に接触するサンプリングシステムを用いて、この生体系から経皮的に検体を採収する工程、（ｂ）採収された検体から未処理信号を獲得する工程であって、この未処理信号が検体の濃度に関する、工程、（ｃ）工程（ｂ）において獲得された未処理信号を変換工程にかけて、この未処理信号を、サンプリングシステムにより採収された検体の量を示す初期信号出力に変換する工程、（ｄ）工程（ｃ）において獲得された初期信号出力を、採収の時点で生体系に存在した検体の濃度を示す測定値に変換する較正工程を実行する工程、（ｅ）工程（ａ）〜（ｃ）を少なくとも一度繰り返し、複数の測定値を獲得する工程を含む。【選択図】　図１Ａ
2004000655.tif 000002
【特許請求の範囲】
【請求項１】
生体系に存在する検体を継続的または連続的に測定するためのモニタリングシステムであって、該システムはマイクロプロセッサ手段（３６）を備え、該マイクロプロセッサ手段は、
（ａ）該生体系から抽出した該検体から得た未処理信号を変換工程に供して、該未処理信号を、該生体系から抽出した該検体の量を示す初期信号出力へ転換し、そして
（ｂ）該初期信号出力を、抽出の時点に該生体系中に存在した検体の濃度を示す測定値と相関させる較正工程を実施し、ここで、該較正工程において、該初期信号出力は、公知の単位の検体に特異的な値へ変換され、該初期信号出力の解析を提供し、該解析は、数学的変換を使用する、
モニタリングシステム。
【請求項２】
前記生体系から抽出される前記検体と操作的に接続している検出手段（１６、１８、２０）をさらに備え、ここで、該検出手段（１６、１８、２０）は、該抽出された検体から未処理信号を得、そして該未処理信号は、該検体に対して具体的に関係付けられる、請求項１に記載のモニタリングシステム。
【請求項３】
前記生体系から前記検体を継続的または連続的に抽出するためのサンプリング手段（８、１０、１２、１４）をさらに備え、ここで、該サンプリング手段（８、１０、１２、１４）は、該生体系の皮膚または粘膜表面を横切って該検体を抽出するために適用される、請求項２に記載のモニタリングシステム。
【請求項４】
前記検体がグルコースである、請求項１〜３のいずれか１項に記載のモニタリングシステム。
【請求項５】
前記モニタリングシステムまたは生体系における温度および皮膚導電性をモニタリングするための温度検出手段および皮膚導電性検出手段をさらに備える、請求項１〜４のいずれか１項に記載のモニタリングシステム。
【請求項６】
前記マイクロプロセッサ（３６）が、指定された時刻に前記変換工程および前記較正工程を開始するようにプログラムされている、請求項１〜５のいずれか１項に記載のモニタリングシステム。
【請求項７】
生体系に存在する検体を継続的に測定するために設定されたマイクロプロセッサ（３６）であって、ここで該マイクロプロセッサ（３６）は、
（ａ）該生体系から抽出した該検体から得た未処理信号を変換工程に供して、該未処理信号を、該生体系から抽出した該検体の量を示す初期信号出力へ転換するように；そして
（ｂ）工程（ａ）で得られた該初期信号出力を、抽出の時点に該生体系中に存在した検体の濃度を示す測定値と相関させる較正工程を実施し、ここで、該較正工程において、該初期信号出力は、公知の単位の検体に特異的な値へ変換され、該初期信号出力の解析を提供し、該解析は、数学的変換を使用するように、設定された、
モニタリングシステム。
【請求項８】
生体系に存在する検体を継続的に測定するための方法であって、該方法は、以下：
（ａ）該生体系から抽出した該検体から未処理信号を得るために検出デバイスを使用する工程であって、ここで該未処理信号は検体濃度に関連する、工程；
（ｂ）該未処理信号を該生体系から抽出した検体の量の指標である初期信号出力へ変換するために、工程（ａ）で得た該未処理信号を変換工程へ供する工程；（ｃ）抽出の時点で該生体系に存在する検体の濃度を示す測定値に、工程（ｂ）において得た該初期信号出力を変換する較正工程を行う工程であって、ここで該較正工程においては、該初期信号出力は公知単位の検体特異的な値へ変換されて、該初期信号出力の解析を提供し、該解析は数学的な変換を使用する、工程；ならびに
（ｄ）工程（ａ）および（ｂ）を少なくとも１回繰り返して、複数の測定値を得る工程、
を包含する、方法。
【請求項９】
前記検体がグルコースである、請求項７に記載のマイクロプロセッサ（３６）。
【請求項１０】
不十分または不正確な信号を示す検出パラメータに基づき、前記未処理信号が、不十分または不正確な信号を無効にするかまたは補正するデータスクリーニングにかけられる、請求項７に記載のマイクロプロセッサ（３６）。
【請求項１１】
前記データスクリーニングが選択基準の組を前記未処理信号に適用し、それぞれの選択基準が、不十分または不正確な信号を示す異なる検出パラメータに基づく、請求項１０に記載のマイクロプロセッサ（３６）。
【請求項１２】
前記データスクリーニングが、測定期間の間の経時的な温度の変化のモニタリングを含み、そして経時的な最大温度変化値（ｄ（ｔｅｍｐ）／ｄ（ｔｉｍｅ））が、該最大値（ｄ（ｔｅｍｐ）／ｄ（ｔｉｍｅ））を超える測定期間に行われた測定を無効にしたりまたは補正するのに用いられる、請求項１０に記載のマイクロプロセッサ（３６）。
【請求項１３】
前記データスクリーニングが、選択された時点における前記生体系の発汗レベルのモニタリングを含み、最大発汗レベルの閾値が、該最大発汗レベルの閾値を超える測定期間に行われた測定を無効にしたりまたは補正するのに用いられる、請求項１０に記載のマイクロプロセッサ（３６）。
【請求項１４】
前記未処理信号が、測定期間の間のイオン注入電圧のモニタリングを含むデータスクリーニングに供され、最大イオン注入電圧値を用いて、該最大電圧値を超える測定期間に行われた測定を無効にしたりまたは補正する、請求項７に記載のマイクロプロセッサ（３６）。
【請求項１５】
前記変換工程が、ベースラインバックグラウンド減算方法を含み、前記未処理信号からバックグラウンドのノイズを除去する、請求項７に記載のマイクロプロセッサ（３６）。
【請求項１６】
前記ベースラインバックグラウンド減算方法が、温度補正されたベースライン値を用いる、請求項１５に記載のマイクロプロセッサ（３６）。
【請求項１７】
前記ベースラインバックグラウンド減算方法が、表皮伝導率補正されたベースライン値を用いる、請求項１５に記載のマイクロプロセッサ（３６）。
【請求項１８】
前記変換工程が、検出期間中の前記初期信号出力を積分する、請求項７に記載のマイクロプロセッサ（３６）。
【請求項１９】
前記変換工程が、前記未処理信号を個々に平滑化するために数学的変換を使用する、請求項７に記載のマイクロプロセッサ（３６）。
【請求項２０】
前記較正工程が、較正基準値に対する一点較正を含む、請求項７に記載のマイクロプロセッサ（３６）。
【請求項２１】
前記較正工程が、前記初期信号出力を、抽出時点において前記生体系に存在する検体の濃度を示す測定値と相関させるニューラルネットワークアルゴリズムの使用を含む、請求項７に記載のマイクロプロセッサ（３６）。
【請求項２２】
前記サンプリングシステムが、前記未処理信号の獲得が、指定された時刻に開始するようにプログラムされた、請求項７に記載のマイクロプロセッサ（３６）。
【請求項２３】
前記指定された時刻が、前記較正工程に先行する、請求項２２に記載のマイクロプロセッサ（３６）。
【請求項２４】
前記較正工程が、前記初期信号出力を、抽出時点において前記生体系に存在する検体の濃度を示す測定値と相関させる線形相関の使用を含む、請求項７に記載のマイクロプロセッサ（３６）。
【請求項２５】
前記較正工程が、信号測定の間で時間依存的な挙動を補正することをさらに含む、請求項７に記載のマイクロプロセッサ（３６）。
【請求項２６】
前記時間依存的な挙動が、前記測定の間に信号減衰を含む、請求項２５に記載のマイクロプロセッサ（３６）。
【請求項２７】
前記補正が、以下の関数；
ＥＧｔ＝ｂｇａｉｎ［Ｅｔ（１＋εｉｔ）＋ＯＳ］＋αｉｔ−ρ
を用いて実施され、ここで；
【数１】
2004000655.tif 000027
であり、（ｔｃａｌ）は較正点であり；（ＥＧｔ）は時刻ｔにおける推定血液グルコース濃度であり；（Ｅｔ）は時刻ｔにおける検体信号であり；（ＯＳ）は、推定ゼロ血液グルコース濃度における非ゼロ信号を示す一定のオフセットタームであり；（ε）は時間依存的信号減衰に対する獲得タームであり、複数の時間セグメントを有し得；（ｉ）は時間セグメントであり；（α）は該時間セグメントにおける線形時間依存的信号減衰に対する補正タームであり、複数の時間セグメントを有し得；（ｔ）は経過時間であり、そして（ρ）は較正オフセットである、請求項２５に記載のマイクロプロセッサ（３６）。
【請求項２８】
前記補正が、以下の関数；
【数２】
2004000655.tif 000028
を用いて実行され、ここで；
【数３】
2004000655.tif 000029
であり；ＢＧｃａｌは較正点における真の血液グルコースであり；Ｅｃａｌは較正点における前記検体信号であり；（ｔｃａｌ）は該較正点における経過時間であり；（ＥＧｔ）は時刻ｔにおける推定血液グルコース濃度であり；（Ｅｔ）は時刻ｔにおける該検体信号であり；（ＯＳ）は推定ゼロ血液グルコース濃度における非ゼロ信号を示す一定のオフセットタームであり；（γ）は信号減衰に対する時間依存的補正タームであり；（α）は信号減衰に対する時間依存的補正タームであり；そして（ｔ）は該経過時間である、請求項２５に記載のマイクロプロセッサ（３６）。
【請求項２９】
時間セグメント化が以下のように実行され、
ｔ＜ｔ１２である場合、
【数４】
2004000655.tif 000030
ｔ１２＜ｔｃａｌ＜ｔ２３である場合、
【数５】
2004000655.tif 000031
ｔ２３＜ｔｃａｌである場合、
【数６】
2004000655.tif 000032
ｔ＜ｔ１２である場合、
ＥＧｔ＝（ＢＧＡＩＮ１＋γ１ｔ）＊（Ｅｔ＋ＯＳ）＋α１ｔ
ｔ１２＜ｔ＜ｔ２３である場合、
ＥＧｔ＝（ＢＧＡＩＮ２＋γ１ｔ１２＋γ２（ｔ−ｔ１２））＊（Ｅｔ＋ＯＳ）＋α１ｔ１２＋α２（ｔ−ｔ１２）
ｔ２３＜ｔである場合、
ＥＧｔ＝（ＢＧＡＩＮ３＋γ１ｔ１２＋γ２（ｔ２３−ｔ１２）＋γ３（ｔ−ｔ２３））＊（Ｅｔ＋ＯＳ）＋α１ｔ１２＋α２（ｔ２３−ｔ１２）＋α３（ｔ−ｔ２３）、
ここで、ＥＧｔは測定時刻における血液グルコースの計算値であり；ＢＧｃａｌは、前記較正点における前記真の血液グルコース濃度であり、ｔは前記経過時間であり；ｔｃａｌは該較正点における該経過時間であり；ＯＳは、オフセットパラメータであり；αｉおよびγｉは時間と共に減衰する信号を示す時間依存的補正タームであり、ここでｉ＝１、２、または３である、請求項２８に記載のマイクロプロセッサ（３６）。
【請求項３０】
前記変換工程が、前記生体系における変化および／または前記検出装置における変化に対する補正を行うために、温度補正関数を用いることをさらに含む、請求項７に記載のマイクロプロセッサ（３６）。
【請求項３１】
前記生体系の変化が温度における変化を含む、請求項３０に記載のマイクロプロセッサ（３６）。
【請求項３２】
前記変換工程が、前記検出装置におけるバックグラウンド信号の測定と未処理信号の測定との間、および該未処理信号の測定の間に発生する温度変化に対する補正を含む、請求項３０に記載のマイクロプロセッサ（３６）。
【請求項３３】
前記温度補正がアレニウス補正関数を用いる、請求項３２に記載のマイクロプロセッサ（３６）。
【請求項３４】
前記温度補正が、後続する時点における温度に対する補正のための測定サイクルから獲得された積分平均温度補正関数を用いる、請求項３２に記載のマイクロプロセッサ（３６）。
【請求項３５】
前記変換工程が、獲得された多重の未処理信号の間の温度差に対する補正を含む、請求項３０に記載のマイクロプロセッサ（３６）。
【請求項３６】
前記検体がグルコースである、請求項８に記載の方法。
【請求項３７】
不十分または不正確な信号を示す検出パラメータに基づき、前記未処理信号が、不十分または不正確な信号を無効にするかまたは補正するデータスクリーニングにかけられる、請求項８に記載の方法。
【請求項３８】
前記データスクリーニングが選択基準の組を前記未処理信号に適用し、それぞれの選択基準が、不十分または不正確な信号を示す異なる検出パラメータに基づく、請求項３６に記載の方法。
【請求項３９】
前記データスクリーニングが、測定期間の間の経時的な温度の変化のモニタリングを含み、そして経時的な最大温度変化値（ｄ（ｔｅｍｐ）／ｄ（ｔｉｍｅ））が、該最大値（ｄ（ｔｅｍｐ）／ｄ（ｔｉｍｅ））を超える測定期間に行われた測定を無効にしたりまたは補正するのに用いられる、請求項３６に記載の方法。
【請求項４０】
前記データスクリーニングが、選択された時点における前記生体系の発汗レベルのモニタリングを含み、最大発汗レベルの閾値が、該最大発汗レベルの閾値を超える測定期間に行われた測定を無効にしたりまたは補正するのに用いられる、請求項３６に記載の方法。
【請求項４１】
前記未処理信号が、測定期間の間にイオン注入電圧のモニタリングを含むデータスクリーニングに共され、最大イオン注入電圧値を用いて、該最大電圧値を超える測定期間に行われた測定を無効にしたりまたは補正する、請求項８に記載の方法。
【請求項４２】
前記変換工程が、ベースラインバックグラウンド減算方法を含み、前記未処理信号からバックグラウンドのノイズを除去する、請求項８に記載の方法。
【請求項４３】
前記ベースラインバックグラウンド減算方法が、温度補正されたベースライン値を用いる、請求項４１に記載の方法。
【請求項４４】
前記ベースラインバックグラウンド減算方法が、表皮伝導率補正されたベースライン値を用いる、請求項４１に記載の方法。
【請求項４５】
前記変換工程が、検出期間中の前記未処理信号出力を積分する、請求項８に記載の方法。
【請求項４６】
前記変換工程が、前記未処理信号を個々に平滑化するために数学的変換を使用する、請求項８に記載の方法。
【請求項４７】
前記較正工程が、較正基準値に対する一点較正を含む、請求項８に記載の方法。
【請求項４８】
前記較正工程が、前記初期信号出力を、抽出時点において前記生体系に存在する検体の濃度を示す測定値と相関させるニューラルネットワークアルゴリズムの使用を含む、請求項８に記載の方法。
【請求項４９】
前記未処理信号の獲得が、指定された時刻に開始するようにプログラムされた、請求項８に記載の方法。
【請求項５０】
前記指定された時刻が、前記較正工程に先行する、請求項４９に記載の方法。
【請求項５１】
前記較正工程が、前記初期信号出力を、抽出時点において前記生体系に存在する検体の濃度を示す測定値と相関させる線形相関の使用を含む、請求項８に記載の方法。
【請求項５２】
前記較正工程が、信号測定の間で時間依存的な挙動を補正することをさらに含む、請求項８に記載の方法。
【請求項５３】
前記時間依存的な挙動が、前記測定の間の信号減衰を含む、請求項５２に記載の方法。
【請求項５４】
前記補正が、以下の関数；
ＥＧｔ＝ｂｇａｉｎ［Ｅｔ（１＋εｉｔ）＋ＯＳ］＋αｉｔ−ρ
を用いて実施され、ここで；
【数７】
2004000655.tif 000033
であり、（ｔｃａｌ）は較正点であり；（ＥＧｔ）は時刻ｔにおける推定血液グルコース濃度であり；（Ｅｔ）は時刻ｔにおける検体信号であり；（ＯＳ）は、推定ゼロ血液グルコース濃度における非ゼロ信号を示す一定のオフセットタームであり；（ε）は時間依存的信号減衰に対する獲得タームであり、複数の時間セグメントを有し得；（ｉ）は時間セグメントであり；（α）は該時間セグメントにおける線形時間依存的信号減衰に対する補正タームであり、複数の時間セグメントを有し得；（ｔ）は経過時間であり、そして（ρ）は較正オフセットである、請求項５２に記載の方法。
【請求項５５】
前記補正が、以下の関数；
【数８】
2004000655.tif 000034
を用いて実行され、ここで；
【数９】
2004000655.tif 000035
であり；ＢＧｃａｌは較正点における真の血液グルコースであり；Ｅｃａｌは較正点における前記検体信号であり；（ｔｃａｌ）は該較正点における経過時間であり；（ＥＧｔ）は時刻ｔにおける推定血液グルコース濃度であり；（Ｅｔ）は時刻ｔにおける該検体信号であり；（ＯＳ）は推定ゼロ血液グルコース濃度における非ゼロ信号を示す一定のオフセットタームであり；（γ）は信号減衰に対する時間依存的補正タームであり；（α）は信号減衰に対する時間依存的補正タームであり；そして（ｔ）は該経過時間である、請求項５２に記載の方法。
【請求項５６】
時間セグメント化が以下のように実行され、
ｔ＜ｔ１２である場合、
【数１０】
2004000655.tif 000036
ｔ１２＜ｔｃａｌ＜ｔ２３である場合、
【数１１】
2004000655.tif 000037
ｔ２３＜ｔｃａｌである場合、
【数１２】
2004000655.tif 000038
ｔ＜ｔ１２である場合、
ＥＧｔ＝（ＢＧＡＩＮ１＋γ１ｔ）＊（Ｅｔ＋ＯＳ）＋α１ｔ
ｔ１２＜ｔ＜ｔ２３である場合、
ＥＧｔ＝（ＢＧＡＩＮ２＋γ１ｔ１２＋γ２（ｔ−ｔ１２））＊（Ｅｔ＋ＯＳ）＋α１ｔ１２＋α２（ｔ−ｔ１２）
ｔ２３＜ｔである場合、
ＥＧｔ＝（ＢＧＡＩＮ３＋γ１ｔ１２＋γ２（ｔ２３−ｔ１２）＋γ３（ｔ−ｔ２３））＊（Ｅｔ＋ＯＳ）＋α１ｔ１２＋α２（ｔ２３−ｔ１２）＋α３（ｔ−ｔ２３）、
ここで、ＥＧｔは測定時刻における血液グルコースの計算値であり；ＢＧｃａｌは、前記較正点における前記真の血液グルコース濃度であり、ｔは前記経過時間であり、ｔｃａｌは該較正点における該経過時間であり；ＯＳは、オフセットパラメータであり；αｉおよびγｉは時間と共に減衰する信号を示す時間依存的補正タームであり、ここでｉ＝１、２、または３である、請求項５５に記載の方法。
【請求項５７】
前記変換工程が、前記生体系における変化および／または前記検出装置における変化に対する補正を行うために、温度補正関数を用いることをさらに含む、請求項８に記載の方法。
【請求項５８】
前記生体系の変化が温度における変化を含む、請求項５７に記載の方法。
【請求項５９】
前記変換工程が、前記検出装置におけるバックグラウンド信号の測定と未処理信号の測定との間、および該未処理信号の測定の間に発生する温度変化に対する補正を含む、請求項５７に記載の方法。
【請求項６０】
前記温度補正がアレニウス補正関数を用いる、請求項５９に記載の方法。
【請求項６１】
前記温度補正が、後続する時点における温度に対する補正のための測定サイクルから獲得された積分平均温度補正関数を用いる、請求項５９に記載の方法。
【請求項６２】
前記変換工程が、獲得された多重の未処理信号の間の温度差に対する補正を含む、請求項５７に記載の方法。
【発明の詳細な説明】
【０００１】
【発明の属する技術分野】
本発明は一般に、生体系に存在する標的の化学検体の濃度を断続的にまたは持続的に測定する方法に関する。より詳細には、本発明は、生理学的検体の測定中に得られる信号の処理方法に関する。本発明のひとつの重要な適用には、血糖濃度をモニターする方法が挙げられる。
【０００２】
【従来の技術】
多数の診断テストが、血液または他の体液中に存在する物質の量または存在を評価するためヒトに日常的に実施されている。これらの診断テストは典型的には、注射器を使用するかまたは皮膚を穿刺するかのいずれかにより、被験者から取り出した生理的液体試料に頼っている。ひとつの特定の診断テストは、糖尿病患者による血糖値の自己モニターを必要とする。
【０００３】
糖尿病は重大な健康問題であり、この症状のより重篤な形態であるＩ型（インスリン依存性）糖尿病の処置は１日あたり１回以上のインスリン注射を必要とする。インスリンは、血中のグルコースまたは糖の利用を制御し、高血糖（これは、直さずに放置した場合、ケトーシスになり得る）を予防する。他方、インスリン治療の不適切な投与は、低血糖エピソードになり得、これは昏睡および死を引き起こし得る。糖尿病患者の高血糖は、糖尿病のいくつかの長期効果、例えば、心疾患、アテローム性動脈硬化症、失明、脳卒中、高血圧および腎不全と関連する。
【０００４】
Ｉ型糖尿病の合併症を避けるか少なくとも最小化するための手段として血糖を断続的にモニターする価値は、良く是認されている。ＩＩ型（非インスリン依存性）糖尿病患者は、節食および運動によるそれらの症状の制御の中で血糖モニタリングから恩恵を受け得る。
【０００５】
従来の血糖モニター方法は一般に、各テスト毎に血液試料の取出し（例えば、指穿刺により）、および電気化学的方法または比色定量法によりグルコース濃度を読み取る機器を使用してグルコース値の決定を必要とする。Ｉ型糖尿病患者は、厳重な血糖制御を維持するため、各々の日に何回の指穿刺血糖測定を行なわなければならない。しかしながら、厳密な制御が長期の糖尿病合併症を劇的に減少させるという強力な証拠にもかかわらず、この血液サンプリングに伴なう痛みおよび不都合は、低血糖の恐れと共に、患者の不充分な遵守に至らせる。事実、これらの理由が、糖尿病患者によるモニタリングプロセスの減退を引き起こし得る。例えば、Ｔｎｅ　Ｄｉａｂｅｔｅｓ　Ｃｏｎｔｒｏｌ　ａｎｄ　Ｃｏｍｐｌｉｃａｔｉｏｎｓ　Ｔｒｉａｌ　Ｒｅｓｅａｒｃｈ　Ｇｒｏｕｐ（１９９３）Ｎｅｗ　Ｅｎｇｌ．Ｊ．Ｍｅｄ．３２９：９７７−１０３６を参照のこと。
【０００６】
最近、血液を取り出すことなしに血液検体の濃度を決定する種々の方法が開発された。例えば、Ｙａｎｇら、米国特許第５，２６７，１５２号は、近ＩＲ放射拡散反射レーザー分光系を使用する血糖濃度を測定する非侵襲的技術を記載する。同様な近ＩＲ分光測定装置がまた、Ｒｏｓｅｎｔｈａｌら、米国特許第５，０８６，２２９号およびＲｏｂｉｎｓｏｎら、米国特許第４，９７５，５８１号に記載される。
【０００７】
Ｓｔａｎｌｅｙら、米国特許第５，１３９，０２３号、およびＤ’Ａｎｇｅｌｏら、同第５，４４３，０８０号は、間質液と受容媒体との間に確立された濃度勾配に沿ったグルコースの経皮移動を促進する透過性エンハンサー（例えば、胆汁酸塩）に頼みとする経皮的血糖モニタリング装置を記載している。Ｓｅｍｂｒｏｗｉｃｈら、米国特許第５，０３６，８６１号は、皮膚貼付を通して汗を採集する受動グルコースモニターを記載し、ここではコリン作動性薬剤がエクリン汗腺からの汗の分泌を刺激するため使用される。同様な汗採集装置がＳｃｈｏｅｎｄｏｒｆｅｒ、米国特許第５，０７６，２７３号およびＳｃｈｒｏｅｄｅｒ、米国特許第５，１４０，９８５号に記載されている。
【０００８】
さらに、Ｇｌｉｋｆｅｌｄら、米国特許第５，２７９，５４３号は、皮膚を通して皮膚表面の受容体中の物質を非侵襲的にサンプリングするイオン注入法の使用を記載している。Ｇｌｉｋｆｅｌｄは、このサンプリング手順が、血糖をモニターするためグルコース特異的バイオセンサーまたはグルコース特異的電極と連結され得ることを教示する。最後に、国際公開公報ＷＯ／００１１０号（１９９６年１月４日公開）は、標的物質の経皮的モニタリングのためのイオン注入装置を記載し、ここでは、イオン注入電極が使用されて検体を採集槽に移動させ、そしてバイオセンサーが使用されてこの槽中に存在する標的検体を検出する。
【０００９】
【発明が解決しようとする課題】
従って、本発明の目的は、生体系に存在する検体を断続的または持続的に測定する方法を提供することである。
【００１０】
本発明の目的はまた、信号処理較正工程を提供することであり、ここで、上記のように得られた未処理または初期信号が、公知単位の検体特定値に変換されて検出装置から得られた信号の解釈を提供することである。
【００１１】
本発明のなおさらなる目的は、生体系に存在する検体を断続的または持続的に測定するモニタリング系を提供することである。
【００１２】
【課題を解決するための手段】
本発明は、生体系に存在する検体を断続的に測定する方法を提供し、この方法は、
（ａ）生体系の表皮または粘膜の表面と作動的に接触するサンプリングシステムを用いて、この生体系から経皮的に検体を採収する工程と、
（ｂ）採収された検体から未処理信号を獲得する工程であって、この未処理信号が検体の濃度に関する、工程と、
（ｃ）工程（ｂ）において獲得された未処理信号を変換工程にかけて、この未処理信号を、サンプリングシステムにより採収された検体の量を示す初期信号出力に変換する工程と、
（ｄ）工程（ｃ）において獲得された初期信号出力を、採収の時点で生体系に存在した検体の濃度を示す測定値に変換する較正工程を実行する工程と、
（ｅ）工程（ａ）〜（ｃ）を少なくとも一度繰り返し、複数の測定値を獲得する工程であって、サンプリングシステムが、生体系の表皮または粘膜の表面との作動的接触を保持し、断続的な検体測定を提供する工程と、
を含む。
【００１３】
１つの実施形態において、上記検体は、上記生体系から第１の採集槽に採収され、この槽内での検体の濃度が獲得される。
【００１４】
１つの実施形態において、上記第１の採集槽は、上記生体系の上記表皮または粘膜の表面と接触し、表皮または粘膜の表面に印加されるイオン注入電流を用いて上記検体が採収される。
【００１５】
１つの実施形態において、上記第１の採集槽は、上記採収された検体と反応する酵素を含み、電気化学的に検出可能な信号を生成する。
【００１６】
１つの実施形態において、上記検体はグルコースであり、上記酵素はグルコースオキシダーゼである。
【００１７】
１つの実施形態において、不十分または不正確な信号を示す検出パラメータに基づき、工程（ｂ）で獲得された上記未処理信号が、不十分または不正確な信号を無効にするかまたは補正するデータスクリーニングにかけられる。
【００１８】
１つの実施形態において、上記データスクリーニングが選択基準の組を上記未処理信号に適用し、それぞれの選択基準が、不十分または不正確な信号を示す異なる検出パラメータに基づく。
【００１９】
１つの実施形態において、上記データスクリーニングが、上記工程（ａ）および（ｂ）において、経時的な温度の変化のモニタリングを含み、経時的な最大温度変化値（ｄ（ｔｅｍｐ）／ｄ（ｔｉｍｅ））が、最大値（ｄ（ｔｅｍｐ）／ｄ（ｔｉｍｅ））を超える測定期間に行われた測定を無効にしたりまたは補正するのに用いられる。
【００２０】
１つの実施形態において、上記データスクリーニングが、選択された時点における上記生体系の発汗レベルのモニタリングを含み、最大発汗レベルの閾値が、最大発汗レベルの閾値を超える測定期間に行われた測定を無効にしたりまたは補正するのに用いられる。
【００２１】
１つの実施形態において、上記工程（ｂ）において獲得された上記未処理データが、上記工程（ａ）および（ｂ）におけるイオン注入電圧のモニタリングを含み、最大イオン注入電圧値を用いて、最大電圧値を超える測定期間に行われた測定を無効にしたりまたは補正する。
【００２２】
１つの実施形態において、上記変換工程が、ベースラインバックグラウンド減算方法を含み、上記未処理信号からバックグラウンドのノイズを除去する。
【００２３】
１つの実施形態において、上記ベースラインバックグラウンド減算方法が、温度補正されたベースライン値を用いる。
【００２４】
１つの実施形態において、上記ベースラインバックグラウンド減算方法が、表皮伝導率補正されたベースライン値を用いる。
【００２５】
１つの実施形態において、上記サンプリングシステムが、上記酵素を含まない第２の採集槽をさらに含み、上記工程（ｂ）が第２の槽からのブランク信号を獲得することをさらに含み、このブランク信号が、上記工程（ｃ）においてブランク補正値として用いられ、上記初期信号出力からのバックグラウンドの情報を除去する。
【００２６】
１つの実施形態において、上記サンプリングシステムが、上記採収された検体と反応する酵素を含み電気化学的に検出可能な信号を生成する酵素を含む第２の採集槽をさらに含み、上記工程（ｂ）が上記第１および第２の採集槽から信号を獲得することをさらに含む。
【００２７】
１つの実施形態において、上記変換工程が、検出期間中の上記初期信号出力を積分する。
【００２８】
１つの実施形態において、上記変換工程が数学的変換を用い、上記第１のおよび第２の採集槽から獲得された信号を個別に平滑化する。
【００２９】
１つの実施形態において、上記変換工程が数学的変換を用い、上記第１のおよび第２の採集槽から獲得された信号を個別に平滑化する。
【００３０】
１つの実施形態において、上記第１および第２の採集槽から獲得された信号の間の差が平滑化される。
【００３１】
１つの実施形態において、上記較正工程が、較正基準値に対する一点較正を含む。
【００３２】
１つの実施形態において、上記較正工程が、上記工程（ｃ）で獲得された上記初期信号出力を、採収時点において上記生体系に存在する検体の濃度を示す測定値と相関させるニューラルネットワークアルゴリズムの使用を含む。
【００３３】
１つの実施形態において、上記サンプリングシステムが、指定された時刻に未処理信号の獲得を開始するようにプログラムされた。
【００３４】
１つの実施形態において、上記指定された時刻が、上記工程（ｄ）に先行する。
【００３５】
１つの実施形態において、上記較正工程が、上記工程（ｃ）で獲得された上記初期信号出力を、採収時点において上記生体系に存在する検体の濃度を示す測定値と相関させる線形相関の使用を含む。
【００３６】
１つの実施形態において、上記較正工程が、上記工程（ｂ）で獲得された信号測定の間で時間依存的な挙動を補正することをさらに含む。
【００３７】
１つの実施形態において、上記時間依存的な挙動が、上記測定の間に信号減衰を含む。
【００３８】
１つの実施形態において、上記補正が、以下の関数、
ＥＧｔ＝ｂｇａｉｎ［Ｅｔ（１＋εｉｔ）＋ＯＳ］＋αｉｔ−ρ
を用いて実施され、ここで、
【００３９】
【数１３】
2004000655.tif 000003
であり、（ｔｃａｌ）は較正点であり、（ＥＧｔ）は時刻ｔにおける推定血液グルコース濃度であり、（Ｅｔ）は時刻ｔにおける検体信号であり、（ＯＳ）は、推定ゼロ血液グルコース濃度における非ゼロ信号を示す一定のオフセットタームであり、（ε）は時間依存的信号減衰に対する獲得タームであり、複数の時間セグメントを有し得、（ｉ）は時間セグメントであり、（α）はこの時間セグメントにおける線形時間依存的信号減衰に対する補正タームであり、複数の時間セグメントを有し得、（ｔ）は経過時間であり、（ρ）は較正オフセットである。
【００４０】
１つの実施形態において、上記補正が、以下の関数、
【００４１】
【数１４】
2004000655.tif 000004
を用いて実行され、ここで、
【００４２】
【数１５】
2004000655.tif 000005
であり、ＢＧｃａｌは較正点における真の血液グルコース濃度であり、Ｅｃａｌは較正点における上記検体信号であり、（ｔｃａｌ）は較正点における上記経過時間であり、（ＥＧｔ）は時刻ｔにおける推定血液グルコース濃度であり、（Ｅｔ）は時刻ｔにおける検体信号であり、（ＯＳ）は推定ゼロ血液グルコース濃度における非ゼロ信号を示す一定のオフセットタームであり、（γ）は信号減衰に対する時間依存的補正タームであり、（α）は信号減衰に対する時間依存的補正タームであり、（ｔ）は経過時間である。
【００４３】
１つの実施形態において、時間セグメント化が以下のように実行され、
ｔ＜ｔ１２である場合、
【００４４】
【数１６】
2004000655.tif 000006
ｔ１２＜ｔｃａｌ＜ｔ２３である場合、
【００４５】
【数１７】
2004000655.tif 000007
ｔ２３＜ｔｃａｌである場合、
【００４６】
【数１８】
2004000655.tif 000008
ｔ＜ｔ１２である場合、
ＥＧｔ＝（ＢＧＡＩＮ１＋γ１ｔ）＊（Ｅｔ＋ＯＳ）＋α１ｔ
ｔ１２＜ｔ＜ｔ２３である場合、
ＥＧｔ＝（ＢＧＡＩＮ２＋γ１ｔ１２＋γ２（ｔ−ｔ１２））＊（Ｅｔ＋ＯＳ）＋α１ｔ１２＋α２（ｔ−ｔ１２）
ｔ２３＜ｔである場合、
ＥＧｔ＝（ＢＧＡＩＮ３＋γ１ｔ１２＋γ２（ｔ２３−ｔ１２）＋γ３（ｔ−ｔ２３））＊（Ｅｔ＋ＯＳ）＋α１ｔ１２＋α２（ｔ２３−ｔ１２）＋α３（ｔ−ｔ２３）、
ここで、ＥＧｔは測定時刻ｔにおける血液グルコースの計算値、ＢＧｃａｌは、上記較正点における上記真の血液グルコース濃度であり、ｔは上記経過時間であり、ｔｃａｌは較正点における経過時間であり、ＯＳは、オフセットパラメータであり、αｉおよびγｉは時間と共に減衰する信号を示す時間依存的補正タームであり、ここでｉ＝１、２、または３である。
【００４７】
１つの実施形態において、上記変換工程が、上記生体系における変化および／または上記検出装置における変化に対する補正を行うために、温度補正関数を用いることをさらに含む。
【００４８】
１つの実施形態において、上記生体系の上記変化が温度における変化を含む。
【００４９】
１つの実施形態において、上記変換手段が、上記検出装置におけるバックグラウンド信号の測定と上記工程（ｂ）における未処理信号の測定との間、およびこの未処理信号の測定の間に発生する温度変化に対する補正を含む。
【００５０】
１つの実施形態において、上記温度補正がアレニウス補正関数を用いる。
【００５１】
１つの実施形態において、上記温度補正が、後続する時点における温度に対する補正のための測定サイクルから獲得された積分平均温度補正関数を用いる。
【００５２】
１つの実施形態において、上記変換工程が、上記検出装置から獲得された多重信号の間の温度差に対する補正を含む。
【００５３】
１つの実施形態において、上記生体系が表皮を含み、この生体系から槽への検体の上記採収が、表皮をマイクロニードルで刺すことにより、表皮の浸透率を高めることをさらに含む。
【００５４】
別の実施形態において、本発明は、生体系に存在する検体を断続的または持続的に測定するためのモニタリングシステムを提供し、このシステムは、
（ａ）生体系から検体を断続的または持続的に採収するためのサンプリング手段であって、このサンプリング手段が、生体系の表皮または粘膜の表面にわたり検体を採収するために適合された、サンプリング手段と、
（ｂ）このサンプリング手段により採収された検体と作動的に接触する検出手段であって、この検出手段が採収された検体から未処理信号を獲得し、この未処理信号が特に検体に関連する、検出手段と、
（ｃ）この検出手段と作動的に通信するマイクロプロセッサ手段であって、このマイクロプロセッサ手段が、（ｉ）未処理信号を変換工程にかけて、この未処理信号を、サンプリングシステムにより採収された検体の量を示す初期信号出力に変換し、（ｉｉ）この初期信号出力を、採収の時点で生体系に存在した検体の濃度を示す測定値と相関させる較正工程を実行する、マイクロプロセッサと、
を作動的に組み合わせて含む。
【００５５】
１つの実施形態において、上記サンプリング手段が、上記採集された検体を含むための１つ以上の採集槽を含む。
【００５６】
１つの実施形態において、上記サンプリング手段が、イオン注入電流を用いて上記生体系から上記検体を採収する。
【００５７】
１つの実施形態において、上記採集槽が、上記採収された検体と反応する酵素を含み、電気化学的に検出可能な信号を生成する。
【００５８】
１つの実施形態において、上記検体がグルコースであり、上記酵素がグルコースオキシダーゼである。
【００５９】
１つの実施形態において、上記モニタリングシステムまたは生体系において、温度をモニタリングするための温度検出手段、表皮伝導性をモニタリングする表皮伝導性検出手段をさらに含む。
【００６０】
１つの実施形態において、上記マイクロプロセッサが、規定された時刻にサンプリングおよび検出の実効を始めるようにプログラムされている。
【００６１】
別の局面において、本発明は、生体系に存在する検体を断続的または持続的に測定するための、上記モニタリングシステムの使用を提供する。
【００６２】
（発明の要旨）
本発明は、生体系に存在する検体の濃度を断続的にまたは持続的に測定する方法を提供する。この方法は、生体系からの検体を断続的にまたは持続的に検出する工程、およびそこからの未処理信号（ここで、この未処理信号は検体濃度に関連する）を誘導化する工程を包含する。次いで、多数の信号処理工程が、この未処理信号を、検体量を表示する最初の信号出力に変換するため実施される。この変換された信号は次いで、生体系に存在する検体の濃度を表示する値にさらに変換される。
【００６３】
この未処理信号は、任意の適切な検出方法論を使用して得られ得、例えば、検出装置と生体系との直接接触に頼る方法；侵襲的、最小限に侵襲的、および非侵襲的サンプリング技術により生体系から試料を抽出する方法（ここで、検出装置は、この抽出試料と接触される）；検出装置と生体系との間接的接触に頼る方法などが挙げられる。本発明の好ましい実施態様では、最小限に侵襲的または非侵襲的サンプリング技術を使用して生体系から試料を抽出する方法が使用される。任意の上記方法で使用される検出装置は、任意の適切な検出素子を使用して未処理信号を提供し得、これには、物理的、化学的、電気化学的、光化学的、分光学的、旋光分析的、比色的、放射分析的または同様な素子が挙げられる。本発明の好ましい実施態様では、電気化学的素子を包含するバイオセンサーが使用される。
【００６４】
本発明の一つの特定の実施態様では、未処理信号は経皮的サンプリング系を使用して得られ、このサンプリング系は、生体系の皮膚または粘膜表面と操作的に接触して配置される。このサンプリング系は、任意の適切なサンプリング技術（例えば、イオン注入法）を使用して生体系から検体を経皮的に抽出する。経皮的サンプリング系は、生体系の皮膚または粘膜表面と操作的に接触して維持され、このような断続的または持続的検体測定を提供する。
【００６５】
検体は、化学的、物理的、酵素的または光学的分析で検出しおよび／または測定することが望まれる。このような検体には、アミノ酸、疾患状態または症状を示す酵素の基質または生成物、疾患状態または症状の他のマーカー、乱用の薬物、治療的および／または薬理学的薬剤、電解質、目的の生理的検体（例えば、カルシウム、カリウム、ナトリウム、クロリド、ビカルボネート（ＣＯ２）、グルコース、尿素（血液尿素窒素）、ラクテート、ヘマトクリットおよびヘモグロビン）、脂質などが挙げられるが、これらに限定されない。好ましい実施態様では、この検体は、目的の生理的検体（例えば、グルコース）、あるいは生理的作用（例えば、薬物または薬理学的薬剤）を有する化合物である。
【００６６】
従って、本発明の目的は、生体系に存在する検体を断続的または持続的に測定する方法を提供し、ここで、未処理信号は適切な検出装置から得られ、次いで信号処理技術にかけられる。さらに詳細には、この未処理信号は、予め規定したセットの選択基準を使用して域外値および／または乏しい（不正確な）信号を除去するためのデータスクリーニング方法を受ける。さらに、または、あるいはこの未処理信号は、以下：（ｉ）バックグラウンド情報を除去するかまたは補正し、（ｉｉ）検出時間に亘って、未処理信号を積分し、（ｉｉｉ）一つの信号タイプから別のものへ未処理信号を変換する任意のプロセスを実施し、または（ｉｖ）工程（ｉ）、（ｉｉ）および／または（ｉｉｉ）の任意の組み合わせを実施する変換工程に変換され得る。好ましい実施態様では、この変換工程は、未処理信号および積分工程からのバックグラウンドを除去するベースラインバックグラウンド減算方法を包含する。他の実施態様では、この変換工程は、有効および基準（ブランク）信号の両方を提供する検出装置を用いた使用のため適合され得、ここで、数学的変換が、有効および基準信号を個々に平滑化し、および／またはこの有効信号から重みづけ基準（ブランク）信号を減算するため使用される。なおさらなる実施態様では、この変換工程は、生体系および／またはバイオセンサー系の状態の変化（例えば、生体系の温度変動、検出素子の温度変動、皮膚伝導率変動またはそれらの組み合わせ）を示す補正関数を含む。この変換工程の結果は、生物学的試料中の標的検体の濃度と関連され得る値を提供する初期の信号出力である。
【００６７】
本発明の目的はまた、信号処理較正工程を提供することであり、ここで、上記のように得られた未処理または初期信号が、公知単位の検体特定値に変換されて検出装置から得られた信号の解釈を提供する。この解釈は数学的変換を使用して、検出装置の測定応答と対応する検体特定値との関係をモデル化する。このような数学的変換は、線形または非線形回帰、あるいはニューラルネットワークアルゴリズムの使用を包含し得る。一つの実施態様では、この較正工程は、単一または多数のポイントの較正を使用して検出装置を較正する工程、次いで、補正ファクター、時間補正および定数を使用して較正後データを変換し、検体特定値を得る工程を包含する。さらに信号処理は、較正工程で得られる情報を正確なものとするため使用され得、例えば、ここで、信号処理工程は、未処理信号を得るため使用される検出素子に固有の変動し得る状態に起因する信号の差違を補正するために使用される。一つの実施態様では、このさらなる工程は、信号時間依存性、特に信号減衰を補正するために使用される。別の実施態様では、定数オフセットタームが得られ、このオフセットは、推定ゼロの検体濃度で非ゼロ信号を示す信号に加えられる。
【００６８】
さらに、本発明の方法は、顕微針を用いた皮膚を穿刺することによる皮膚透過性の増強を含む。さらに、このサンプリング系は、規定した時間（回数）でサンプリングおよび検出の実行を開始するようプログラムされ得る。
【００６９】
本発明のなおさらなる目的は、生体系に存在する検体を断続的または持続的に測定するモニタリング系を提供することである。このモニタリング系は、以下の操作的組み合わせを包含する：（ａ）生体系から検体を断続的または持続的に抽出するためのサンプリング手段、（ｂ）このサンプリング手段により抽出される検体と操作的に接触する検出手段、および（ｃ）この検出手段と操作的に通信するマイクロプロセッサ手段。このサンプリング手段は、生体系の皮膚または粘膜表面を横切って検体を抽出するよう適合される。この検出手段は、抽出された検体から未処理信号を得るよう使用され、ここで、この未処理信号は、検体と特定的に関係付けられる。このマイクロプロセッサ手段は、未処理信号を変換工程にかけるため使用され（これにより、未処理信号を、サンプリング手段により抽出された検体の量を表示する初期信号出力に変換する）、次いで較正工程（これは、初期の信号出力と抽出時に生体系に存在する検体の濃度を表示する測定値とを関連付ける）を実施する。一つの実施態様では、このモニタリング系は、イオン注入法を使用して生体系から検体を抽出する。他の実施態様では、このモニタリング系は、生体系からグルコース検体を抽出するため使用される。さらに、このマイクロプロセッサは、規定した時間（回数）でサンプリングおよび検出の実行を開始するようプログラムされ得る。
【００７０】
本発明のさらなる目的、利点および新規な特徴は以下の記載に一部が示され、そして一部は、以下の検討により当業者には明らかであるか、または本発明の実施により分かり得る。
【００７１】
【発明の実施の形態】
本発明を詳細に記載する前に、本発明が特定の組成物または生体系（これらは、当然、変化し得る）に限定されないこということが理解されるべきである。本明細書中で使用される用語は、特定の実施態様のみを記載する目的のためにあり、限定することを意図しないことがまた、理解されるべきである。
【００７２】
本明細書および添付の特許請求の範囲で使用される単数形「ａ」、「ａｎ」および「ｔｈｅ」は、その内容が明らかに他を示さない限り、複数形を含むことが注意されなければならない。従って、例えば、「ひとつの（ａ）時間依存的変数」への参照は、２個以上のこのような変数の混合を含み、「ひとつの（ａｎ）電気化学的活性種」はへの参照は、２個以上のこのような種を含み、「ひとつの（ａｎ）検体」は、検体の混合物を含むなど。
【００７３】
他で規定しない限り、本明細書中で使用される全ての技術的および化学的用語は、本発明が属する分野の当業者により、一般に理解されるのと同一の意味を有する。本明細書中で記載されるものと同一または等価な方法および材料が、本発明の試験のため実際に使用され得るが、本明細書中では好ましい材料および方法が記載される。
【００７４】
本発明の発明の詳細な説明および特許請求の範囲では、次の用語が、以下に示される定義に従って使用される。
【００７５】
（定義）
用語「検体」および「標的検体」は、目的の任意の生理学的検体を示すため本明細書中で使用され、これは、化学的、物理的、酵素的および／または光学的分析で検出およびまたは測定される特定の物質または成分である。検出可能な信号（例えば、化学的信号または電気化学的信号）は、このような検体またはその誘導体から、直接的または間接的のいずれかで得られ得る。さらに、用語「検体」および「物質」は、本明細書中で交換可能なかたちで使用され、そして同一の意味を持つよう位とされ、従って、目的の任意の物質を含む。好ましい実施態様では、この検体は、目的の生理学的検体、例えば、グルコースまたは生理学的作用（例えば、薬物または薬理学的薬剤）を有する化合物である。
【００７６】
「サンプリング装置」または「サンプリング系」とは、目的の検体の濃度を決定する目的のため生体系から試料を得るための任意の装置のことを言う。本明細書で使用される用語「サンプリング」は、一般に皮膚または粘膜のような膜を横切って生体系からの侵襲的、最小限に侵襲的または非侵襲的な物質の抽出を意味する。この膜は、天然または人工的であり得、そして、植物または動物性（例えば、天然または人工の皮膚、血管組織、腸管組織など）であり得る。典型的には、このサンプリング手段は、「槽」または「採集槽」と操作的に接触され、ここで、このサンプリング手段は、生体系から槽へ検体を抽出するため使用され、
槽中に検体を得る。「生体系」には、生体および人工維持系の両方を含む。最小限に侵襲的および非侵襲的サンプリング技術には、イオン注入法、音波導入法（ｓｏｎｏｐｈｏｒｅｓｉｓ）、吸引法、電気穿孔法、熱穿孔法、受動拡散、マイクロファイン（小型の）ランスまたはカニューレ、皮下移植または挿入、およびレーザー装置が挙げられる。音波導入法は、皮膚の透過性を高めるため超音波を使用する（例えば、Ｍｅｎｏｎら（１９９４）Ｓｋｉｎ　Ｐｈａｒｍａｃｏｌｏｇｙ　７：１３０−１３９を参照のこと）。適切な音波導入サンプリング系は、国際公開番号ＷＯ９１／１２７７２（１９９１年９月５日公開）に記載される。受動拡散サンプリングデバイスは、例えば、国際公開番号：ＷＯ９７／３８１２６（１９９７年１０月１６日公開）；ＷＯ９７／４２８８８、ＷＯ９７／４２８８６、ＷＯ９７／４２８８５およびＷＯ９７／４２８８２（全て、１９９７年１１月２０日公開）；ならびにＷＯ９７／４３９６２（１９９７年１１月２７日公開）に記載される。レーザー装置は、小さなレーザービームを使用して患者の皮膚の上層を焼いて穴を作る（例えば、Ｊａｃｑｕｅｓら（１９７８）Ｊ．Ｉｎｖｅｓｔ．Ｄｅｒｍａｔｏｌｏｇｙ　８８：８８−９３を参照のこと）。侵襲的サンプリング技術の例には、伝統的な針および注射器または真空試料管装置が挙げられる
用語「採集槽」とは、生体系から抽出されるサンプルを収納するための任意の適切な容器手段を記載するのに使用される。例えば、この採集槽は、イオン的な伝導体（例えば、そのなかにイオンを有する水）である材料を含む容器であり得、あるいは、それは、スポンジ様材料または親水性のポリマーなどの材料であり得、これらは、水を適切に保持するために使用される。このような採集槽は、ヒドロゲル（例えば、ディスクまたはパッドの形状）の形態であり得る。ヒドロゲルは、典型的に「採集挿入物」と呼ばれる。他の適切な採集槽には、チューブ、バイアル、キャピラリー回収装置、カニューレ、および小型化されたエッチングされた、切断された、または成形されたフロー通路が挙げられるが、これらに限定されない。
【００７７】
このサンプリングシステムのための「ハウジング」は、さらに適切なエレクトロニクス（例えば、マイクロプロセッサー、メモリー、ディスプレイ、および他の回路部品）ならびに自動化方式においてサンプリングシステムを作動させるための動力源を含み得る。
【００７８】
本明細書中で使用される「モニタリングシステム」とは、生体系に存在する生理学的な検体を断続的にまたは持続的に測定するために役立つシステムのことを言う。このようなシステムは、典型的に、サンプリング手段、検出手段、ならびにサンプリング手段および検出手段と作動連絡するマイクロプロセッサーの手段とを含むが、これに限定されるものではない。
【００７９】
本明細書中で使用される用語「模造物」とは、単分子膜の厚さまたはそれより大きな細胞の凝集体のことをいい、これらの細胞はインビボまたはインビトロで成長し、または培養され、そして有機体の組織として機能するが、以前に存在した種または宿主から実際に誘導されまたは摘出されたものではない。
【００８０】
用語「被験体」とは、任意の温血動物を包含し、特に以下のような哺乳動物分類メンバーを含む（限定するわけではない）：ヒトおよびヒト以外の霊長類、例えばチンパンジー、他の類人猿およびサル類（ｍｏｎｋｅｙ　ｓｐｅｃｉｅｓ）；ウシ、羊、豚、やぎ、および馬のような家畜；犬および猫のような家庭の哺乳動物；マウス、ラットおよびモルモットのようなげっ歯類を含む実験動物、など。この用語は、特定の年齢または性別を意味しない。従って、成体のおよび新生の被験体、ならびに胎児（オスであれメスであれ）が含まれることを意味している。
【００８１】
本明細書で使用される用語「断続的な測定」とは、特定の生体系から得られる一連の２つ以上の測定を意味し、この測定は、単一の装置を使用することで得られ、この装置は、測定の範囲が得られる期間にわたって生体系との操作的な接触が保たれる。従って、この用語は、持続的な測定を含む。
【００８２】
本明細書で使用される用語「経皮的」とは、経皮的なおよび粘膜を介した（ｔｒａｎｓｍｕｃｏｓａｌ）技術の両方（すなわち、皮膚または粘膜組織を介した標的検体の抽出）を含む。文脈中で「経皮的」とは本明細書中で記載される発明の局面では、もし他に特定しなければ、経皮的なおよび粘膜を介した技術の両方を適用することを表す。
【００８３】
用語「経皮的抽出」または「経皮的に抽出された」とは、任意の非侵襲性または少なくとも最小の侵襲性のサンプリング方法を意味し、これは、皮膚または粘膜組織を介して組織表面の下から検体を抽出および／または輸送することを伴う。従って、この用語は、イオン泳動法（逆イオン泳動）、電気浸透、音波泳動（ｓｏｎｏｐｈｏｒｅｓｉｓ）、微小透析、吸引法、受動拡散を使用する検体の抽出を含む。これらの方法は、もちろん皮膚浸透エンハンサーまたはテープストリッピング（ｔａｐｅ　ｓｔｒｉｐｐｉｎｇ）または微小針を用いる穿刺のような皮膚浸透性増強技術の適用と連結され得る。この用語「経皮的に抽出された」とはまた、熱穿孔法（ｔｈｅｒｍａｌ　ｐｏｒａｔｉｏｎ）、電気穿孔法、ミクロファイン切開法（ｍｉｃｒｏｆｉｎｅ　ｌａｎｃｅ）、ミクロファインカニュラス（ｍｉｃｒｏｆｉｎｅ　ｃａｎｕｌａｓ）、皮下の移植または挿入、などを使用する抽出技術を含有する。
【００８４】
用語「イオン泳動」とは、組織に電気的なエネルギーを付与することによって組織を介して物質を輸送するための方法を表す。通常のイオン泳動において、採集層は、輸送される材料の容器として機能するために組織の表面に提供される。イオン電気泳動は、当業者に公知の標準的な方法を使用して実施され得、例えば、固定されたアノードとカソードの「イオン泳動電極」の間に直流（ＤＣ）を使用すること、アノードとカソードのイオン泳動電極の間に直流（ＤＣ）を交換すること、イオン泳動電極の間に交換極性（ＡＰ）を有する電流を印加する（各電極が交互に、アノードまたはカソードとなるように）ようなより複雑な波形を使用することで電位を作り出すことによる。
【００８５】
用語「逆イオン泳動」とは、電位または電流を適用することによる膜を介した生物学的な液体からの物質の移動のことを言う。逆イオン泳動において、採集層が、抽出された材料を受け取るために組織表面において提供される。
【００８６】
「電気浸透」とは、電場誘導対流による膜を通過する物質の移動のことを言う。イオン泳動、逆イオン泳動および電気浸透という用語は、本明細書中において、相互転換可能であり、膜にイオン伝導性の媒体を通じて電位を適用することで、膜（例えば、上皮膜）を介して、いくらかイオン的に荷電したまたは無電荷の物質の移動のことを言うために使用される。
【００８７】
用語「検出装置」、「検出手段」または「バイオセンサー装置」は、目的の検体またはその誘導体の濃度を測定するために使用され得る任意の装置を包含する。血液検体を検出するための好ましい検出装置は、一般に電気化学装置および化学装置を含有する。電気化学装置の例は、Ｃｌａｒｋ電極システム（例えば、Ｕｐｄｉｋｅら、（１９６７）Ｎａｔｕｒｅ２１４：９８６〜９８８を参照のこと）、および他の電気測定の、電量測定のまたは電位差測定の電気化学的装置を含有する。化学装置の例は、Ｌｉｆｅｓｃａｎ（登録商標）グルコースモニタ（Ｊｏｈｎｓｏｎ　ａｎｄ　Ｊｏｈｎｓｏｎ、Ｎｅｗ　Ｂｒｕｎｓｗｉｃｋ、ＮＪ）（例えば、Ｐｈｉｌｌｉｐｓらの米国特許第４，９３５，３４６号を参照のこと）において使用される従来の酵素ベースの反応を含有する。
【００８８】
「バイオセンサー」または「バイオセンサー装置」は、「検出要素」を含有するが、これに限定されず、「検出要素」は、「バイオセンサー電極」または「検出電極」あるいはその時点でのまたは与えれた時間における電気信号（この信号は、化学化合物の濃度に関連する）の量を測定するために観測される電極のことをいう「作用電極」を含有するが、これに限定されない。この検出電極は、検体、またはその誘導体を電気信号に対して交換する反応性表面を含有する。この反応表面は、白金族金属（白金、パラジウム、ロジウム、ルテニウム、オスミウム、およびイリジウムを含む）、ニッケル、銅、銀および炭素、ならびにそれらの酸化物、二酸化物、組み合わせまたは合金のような任意の導電性の材料（これらに限定されない）から構成され得る。電流測定のバイオセンサーの作製のために適切ないくらかの触媒材料、膜および製造技術は、Ｎｅｗｍａｎ，Ｊ．Ｄ．ら（Ａｎａｌｙｔｉｃａｌ　Ｃｈｅｍｉｓｔｒｙ　６７（２４）、４５９４〜４５９９、１９９５）に記載された。
【００８９】
「検出要素」とはバイオセンサー電極に加える成分を含有し得、例えば、検出要素は、「基準電極」および「対電極」を含み得る。用語「基準電極」とは、本明細書において、参照電位を提供する電極という意味（例えば、電位は、基準電極と作用電極との間の作られ得る）で使用される。用語「対電極」とは、本明細中において、電気化学的な回路を完成するための電流源またはシンクとして作用する電気化学的な回路における電極という意味で使用される。対電極が基準電極が回路中で含まれる場所で使用されること、およびこの電極が対電極の機能を実施することができることは、必要ではないが、この基準電極によって提供される参照電位は、平衡状態である場合に最も安定であるので、対電極および基準電極を分離することが、好ましい。この基準電極がさらに対電極として作用することを必要とされる場合、この基準電極を流れる電流は、この平衡状態を妨害し得る。したがって、対電極および基準電極として機能する別個の電極が、最も好ましい。
【００９０】
１つの実施態様において、この「検出要素」の「対電極」は、「二形式電極」を含む。用語「二形式電極」とは、本明細中で、典型的に、たとえば対電極（「検出要素」の）およびイオン泳動的な電極（「サンプリング手段」の）の両方のような非同時に機能することが可能な電極のことを言うのに使用される。
【００９１】
用語「反応表面」および「反応面」とは、本明細書中において相互転換可能で使用され、以下の検出電極の表面を意味する：（１）検体を含む、あるいは検体またはその誘導体がそれを通じてその源から流れる、材料（例えば、ゲル）を含む電解質の表面と接触する検出電極；（２）触媒材料（例えば、炭素、白金、パラジウム、ロジウム、ルテニウムまたはニッケル、および／またはそれらの酸化物、二酸化物、および組合せまたは合金）または電気化学的な反応のための部分を提供する材料を構成する検出電極；（３）化学信号（例えば、過酸化水素）を電気信号（例えば、電流）に変換する検出電極；そして（４）反応材料で構成される場合、電解質中に存在する検体の量に関連する検出可能な、再生的に測定可能な、電気信号を発生するために、十分な速度で電気化学反応を進ませるのに十分な電極表面積を規定する検出電極。
【００９２】
用語「採集槽」および「採集挿入物」とは、生体系から抽出されるサンプルを収納するための適切な封じ込め手段を説明するために使用される。この採集層は、イオン的な伝導体（例えば、そのなかにイオンを有する水）である材料を含み得、ここでスポンジ様材料または親水性のポリマーのような別の材料は、この場合、水を保持するために使用される。このような採集槽は、ヒドロゲル（例えば、ディスクまたはパッドの形状）の形態にあり得る。他の適切な採集槽には、チューブ、バイアル、キャピラリー回収装置、カニューレ、および小型化エッチングされた、切断された、または成形されたフロー通路が挙げられるが、これらに限定されない。
【００９３】
「イオン伝導材料」とは、イオン的な伝導性を提供し、そしてそれを通じて電気化学的な活性種が、拡散し得る任意の材料のことを言う。このイオン伝導性材料は、例えば、電解質を含む固体、液体、または半固体（例えば、ゲルの形態）材料であり得、これらは、主にに水およびイオン（例えば、塩化ナトリウム）から構成され得、そして一般的に５０重量％またはそれ以上の水を含む。この材料は、ゲル、スポンジ、またはパッド（例えば、電解質溶液で浸漬される）の形態、あるいは電解質を含み得、または電気化学的な活性種、特に目的の検体を通過させ得る、他の材料であり得る。
【００９４】
用語「生理学的な効果」とは、治療の意図した目的を達成する被験体において生み出される効果を含有する。好ましい実施態様において、生理学的な効果とは、処置される被験体の症状が、予防されるか、または軽減されることを表す。例えば、生理学的な効果とは、患者の延命という結果となる効果である。
【００９５】
「積層」とは、本明細書中において、少なくとも２つの結合層から構成される構造を言うのに使用される。この層は、溶接によるかまたは接着剤の使用を通じて結合され得る。溶接の例は、以下を含むが、これらに限定されない：超音波溶接、熱結合、ならびに誘導的に結合された、局在化した加熱およびそれに続く局在化したフロー。一般的な接着剤の例は、感圧性応接着剤、熱硬化性の接着剤、シアノクリレート接着剤、エポキシ、接触接着剤、および感熱性接着剤を含むが、これらに限定されない。
【００９６】
「回収アセンブリ」は、本明細書中において、いくつかの層から構成される構造を言うのに使用される。ここでこのアセンブリは、例えばヒドロゲルのような少なくとも１つの採集挿入物を含む。本発明の回収アセンブリの例は、マスク層、採集挿入物、および保持層（この層は互いに適切で、機能的な関係で保持される）であるが、積層が必要というわけではなく、すなわちこの層は、互いに結合されなくても良い。これらの層は、例えば、結合ジオメトリでまたは摩擦によって共に保持され得る。
【００９７】
「自動検出アセンブリ」は、本明細書中において、マスク層、回収挿入物、保持層、電極アセンブリ、および支持トレーを一般的に含む構造を言うのに使用される。この自動検出アセンブリはまた、ライナを含み得る。このアセンブリの層は、互いに適切で、機能的な関係で保持される。
【００９８】
このマスクおよび保持層は、好ましくは、検出するために（例えば、グルコース）検体（化学的信号）に対して実質的に不浸透性である材料から構成され；しかし、この材料は、他の物質に対して浸透可能となり得る。「実質的に不浸透性」とは、この物質が、化学信号の輸送（例えば、拡散によって）を減少させ、または排除することを表す。この材料は、低レベルの化学信号の輸送を可能にさせる。但し、この材料を通過する化学信号は、検出電極において顕著なエッジ効果を生じない。
【００９９】
「実質的に平坦な」とは、本明細書中において、十分に湾曲した表面、例えば、被験体の前腕、または上腕に接触する平坦な表面を含む。「実質的に平坦な」表面とは、例えば、皮膚が形成され得る、すなわち皮膚と表面との間の接点で接触するような形態を有する表面である。
【０１００】
用語「焼付けされる」とは、本明細書中で、基板の表面（すなわち、ベース支持体）上の電極処方物の実質的に均一な沈殿を表す。種々の技術が、基板上の材料の実質的に均一な沈殿を行うために使用され得ることは、当業者によって理解される（例えば、Ｇｒａｖｕｒｅ型焼付け、押出コート、スクリーンコート、噴霧、塗装など）。
【０１０１】
用語「酵素」とは、１つまたはそれ以上の反応生成物を生成するための分子間の反応を触媒する任意の化合物または材料を表す。したがって、この用語は、タンパク質酵素、またはその酵素学的に活性なタンパク質（フラグメント）を含有し、このタンパク質および／またはタンパク質フラグメントは、天然物から単離されるか、あるいは組換え的にまたは合成的に生成され得る。この用語はまた、設計された合成酵素擬性体を含有する。
【０１０２】
用語「時間依存的信号減少」とは、検体の濃度において、減少または変化が実際に起こらない場合、長時間にわたって測定される信号において、検出可能な減少のことを言う。長時間をかけて信号が減少するのは、多数の異なった現象のためであり得る。
【０１０３】
用語「信号対ノイズ比」は、測定されることを意図する実際の信号と検体がない場合の信号の変化との間の関係を言う。用語「Ｓ／Ｎ」および「ＳＮＲ」もまた、信号対ノイズ比を言うのに使用される。「ノイズ」とは、本明細書中で、意図される信号と共に測定される任意の所望しない信号を言うのに使用される。
【０１０４】
（一般的方法）
本発明は、生体系に存在する標的検体の濃度を経皮的に抽出し、そして測定する装置の使用に関する。好ましい実施態様において、この検出装置は、バイオセンサーを備える。他の好ましい実施態様において、試料採集装置は、生体系から少量の標的検体を抽出し、次いで標的検体の濃度を検出しおよび／または量を計るのに使用される。バイオセンサーでの測定および／または試料採集装置装置での試料採集は、持続的なまたは断続的な手段で実施され得る。持続的なまたは断続的な測定により、標的検体の濃度誤差のより小さなモニタリングを可能にする。
【０１０５】
この検体は、人間が、化学的、物理学的、酵素学的または光学的分析において、検出および／または測定することを所望する任意の特定の物質または成分である得る。このような検体には、アミノ酸、疾患状態または健康状態を表す酵素物質または生成物、疾患状態または健康状態の他のマーカー、麻薬の乱用、治療学的および／または薬理学的試剤（例えば、テオフィリン、抗ＨＩＶ薬剤、リチウム、抗癲癇薬剤、シクロスポリン、化学療法剤）、電解質、目的の生理的分析（例えば、尿酸塩／尿酸、炭酸塩、カルシウム、カリウム、ナトリウム、塩素、炭酸水素塩（ＣＯ２）、グルコース、尿素（血中尿素窒素）、乳酸塩／乳酸、ヒドロキシ酪酸塩、コレステロール、トリグリセリド、クリアチン、クレアチニン、インスリン、ヘマトクリットおよびヘモグロビン）、血中ガス（二酸化炭素、酸素、ｐＨ）、脂質、重金属（例えば、鉛、銅）などが挙げられるが、限定するものではない。好ましい実施態様において、この検体は、目的の生理的検体（例えば、グルコース）、または生理活性（例えば、薬剤または薬理学的試薬）を有する化学物質である。
【０１０６】
検体の検出を容易にするために、酵素を採集槽に加え得、またはいくつかの採集層が使用される場合、酵素をいくつかまたは全ての採集層の中に加え得る。この選択された酵素は、この反応の生成物が検出され得る範囲まで、抽出された検体（この場合は、グルコースである）の反応を触媒することが可能であり、例えば、電流の発生により電気化学的に検出され得、この電流は、反応する検体の濃度または量を検出可能でありおよび比例する。適切な酵素は、グルコースをグルコン酸および過酸化水素に酸化するグルコースオキシダーゼである。引き続く適切なバイオセンサー電極上での過酸化水素の検出により過酸化水素１分子当たり２個の電子を発生し、装置に入れるグルコースの量を検出および関連づけ得る電流を生じる。グルコースオキシダーゼ（ＧＯｘ）は、容易に市場で入手可能であり、周知の触媒特性を有する。しかし、特異的に目的の検体または物質との反応を触媒し、このように反応した検体の量に比例して検出可能な生成物を発生しさえすれば、他の酵素もまた使用され得る。
【０１０７】
同様の様式で、多くの他の検体特異的酵素系は、本発明において使用され得、この酵素系は、ほとんど同じ一般技術で操作する。例えば、過酸化水素を検出するバイオセンサーの電極は、アルコールオキシダーゼ酵素系を使用してエタノールを、または同様にして、尿酸オキシダーゼ系で尿酸を、ウレアーゼ系で尿素を、コレステロールオキシダーゼ系でコレステロールを、およびキサンチンオキシダーゼ系でテオフィリンを検出するのに使用され得る。
【０１０８】
さらに、オキシダーゼ酵素（過酸化水素を基礎とした検出のために使用される）は、別の酸化還元系で置きかえられ得（例えば、デヒドロゲナーゼ酵素　ＮＡＤ−ＮＡＤＨ）、これはさらなる検体を検出するために分離経路を提供する。デヒドロゲナーゼを基礎とした検出器は、金または炭素（媒介性の化学を介して）で作製された作用電極を使用し得る。このタイプのモニタリングに適した検体の例には、コレステロール、エタノール、ヒドロキシ酪酸塩、フェニルアラニン、トリグリセリドおよび尿素が挙げられるが、限定するものではない。さらに、この酵素は、除去され得、そして検出は、検体の直接の電気化学的または電位差測定に依存し得る。このような検体は、重金属（例えば、コバルト、鉄、鉛、ニッケル、亜鉛）、酸素、炭酸塩／二酸化炭素、塩素、フッ素、リチウム、ｐＨ、カリウム、ナトリウム、および尿素が挙げられるが、限定するものではない。また本明細書中で記載される試料採集システムは、治療学的な薬剤のモニタリング、例えば、抗癲癇薬剤（例えばフェニトイン）、化学療法剤（例えばアドリアマイシン）、機能亢進剤（例えばリタリン）、および抗器官拒絶剤（例えばシクロスポリン）のモニタリングに使用され得る。
【０１０９】
標的検体の濃度を測定するための方法は、以下のように一般化され得る。初期工程（工程Ａ）は、検出装置から未処理信号を得るのに必要であり、この信号は、生体系に存在する標的検体に関係する。この未処理信号は、例えば、以下を含む任意の適切な検出方法を使用して得られ得る。それは、生体系と検出装置との直接接触に依存する方法；浸潤性の、最小浸潤性の、および非浸潤性の試料採集技術による生体系からのサンプルを抽出する方法（ここで、検出装置は、抽出されたサンプルに接触する）；生体系と検出装置との間接接触に依存する方法；などである。本発明の好ましい実施態様において、方法は、最小浸潤性または非浸潤性のサンプリング技術を使用して、生物学的サンプルからサンプルを抽出するために使用される。任意の上記の方法と共に使用する検出装置は、物理学の、化学の、電気化学の、光化学の、分光光学の、旋光測定の、比色定量の、放射測定のまたは同様の要素を含有する信号を提供するための任意の適切な検出要素を使用し得るが、限定するものではない。本発明の好ましい実施態様において、バイオセンサーには、電気化学的検出要素を含有するものが使用される。
【０１１０】
未処理信号が得られた後に、この信号は、アウトライアー信号および／または質の悪い（不正確な）信号を除くために、選択された基準の予め規定されたセットを使用して、データスクリーニング方法（工程Ｂ）を受け得る。加えて、または代わりに、未処理信号は、変換工程（工程Ｃ）で変換され得、この工程は、（ｉ）バックグラウンド情報を除去または補正し得、（ｉｉ）検出時間の期間を超える信号を組み込み得、（ｉｉｉ）１つの信号のタイプから別のタイプへ変換する任意のプロセスを行い得、あるいは（ｉｖ）工程（ｉ）、（ｉｉ）および／または（ｉｉｉ）の任意の組み合わせを行い得る。好ましい実施態様において、変換工程は、未処理信号および組み込み工程からバックグラウンドを除くために、ベースラインバックグラウンド減算方法を伴う。他の実施態様では、変換工程は、アクティブ信号と基準（ブランク）信号との両方を与える検出装置の使用のために仕立てられ得る；ここで、アクティブ信号および基準信号を個々に平滑化するために、ならびに／または荷重された基準（ブランク）信号をアクティブ信号から減算するために、数学的変換が使用される。なおさらなる実施態様では、変換工程は、生体系および／またはバイオセンサー系（例えば、生体系の温度変動、検出要素の温度変動、皮膚伝導率の変動、またはそれらの組み合わせ）での状況の変化を示す補正機能を包含する。変換工程の結果は、生物学的試料の標的検体の濃度と相関し得る値を与える初期信号出力である。
【０１１１】
較正工程（工程Ｄ）では、工程Ａから得られた未処理信号、あるいは工程Ｂおよび／または工程Ｃから得られた初期信号は、検出装置から得られた信号の判断を与えるために既知ユニットの検体特定値に変換される。判断は、検出装置の測定された応答と対応する検体特定値との間の関係をモデリングするために１対１の数学的変換を使用する。従って、較正工程は、本明細書中では、例えば、電気化学的信号（バイオセンサーにより検出される）を生体系の標的検体の濃度と関係付けるために使用される。１つの実施態様において、較正工程は、単一または複数の点の較正を使用して検出装置を較正する工程、および次いで、相関因子、時間補正および検体特定値を得るための定数を使用して較正後のデータを変換する工程を伴う。さらに、信号処理は、較正工程で得られた情報を純化する（ｒｅｆｉｎｅ）ために使用され得、例えば、この較正工程で、信号処理工程は、未処理信号を得るために使用される検出要素に独特な可変な状態による信号の差を補正するために使用される。１つの実施態様において、このさらなる工程は、信号の時間依存性（特に信号の減少）を補正するために使用される。別の実施態様において、一定のオフセットタームが得られ、オフセットが、推定ゼロ検体濃度で非ゼロ信号を示すための信号に加えられる。
【０１１２】
上記技術を使用して得られる分析値は、必要に応じて、生体系の標的検体濃度の将来（時間予測）のまたは過去（較正）の測定を予測するために、引き続く工程（工程Ｅ）で使用され得る。例えば、一連の検体値は、反復する様式で工程Ａ、Ｂ、Ｃ、および／またはＤの任意の組み合わせを行うことによって得られる。この一連の測定は、次いで、将来または過去の時間の種々の時点で、測定されていない検体値を予測するために使用される。この様式では、特定のサンプリングおよび／または検出技術に固有の遅延時間が、減少または除去され、リアルタイム測定予測を与え得る。
【０１１３】
別の任意の工程では、上記技術を使用して得られる分析値は、生体系の１局面を制御するために、引き続く工程（工程Ｆ）で使用され得る。１つの実施態様では、工程Ｄで得られる検体値は、生体系の１局面を制御するために、成分が生体系にいつ、どのレベルで加えられるべきかを決定するために使用される。好ましい実施態様では、検体値は、生体系の生理学的効果を制御するためのフィードバック制御ループに使用され得る。
【０１１４】
上記一般的方法（工程Ａ〜Ｆ）は、それぞれ独立して、検体検出系に有用であり、もちろん特定の生体系、標的検体、および／または検出技術のために選択された幅広い種々の組み合わせで使用され得る。例えば、特定の適用に対して、一連の測定は、工程Ａ、Ｃ、Ｄ、ＥおよびＦを含み得、他の適用では、一連の測定は、工程Ａ、Ｂ、ＣおよびＤなどを含み得る。特定の適切な組み合わせの決定は、即時の開示により指示される場合、当業者の範囲内である。さらに、工程Ｃ〜Ｆは、好ましくは、本明細書中以下に記載される１以上の数学的関数として具体化される。従って、これらの関数は、モニタリングシステムのマイクロプロセッサを使用して実行され得る。これらの方法は、任意の化学検体および／または生体系の物質の測定に幅広く適用可能であるが、本発明は、グルコースまたはグルコース代謝物を定量または定性分析（ｑｕａｌｉｆｙ）するための電気化学的バイオセンサーを使用する非侵襲性経皮サンプリングシステムでの使用について明確に例示する。
【０１１５】
（工程Ａ：未処理信号を得る工程）
未処理信号は、生体系に作動的に（ｏｐｅｒａｔｉｖｅｌｙ）接触される任意の検出装置を使用して得られ得る。このような検出装置は、物理的、化学的、電気化学的、分光光度的、旋光分析的、比色的、放射測定的などの測定技術を使用し得る。加えて、この検出装置は、生体系に直接的または間接的に接触し得、あるいは侵襲性、最小侵襲性、または非侵襲性サンプリング技術を使用して、生体系から試料を抽出するサンプリング装置と共に使用され得る。好ましい実施態様では、最小侵襲性または非侵襲性サンプリング装置が生体系から試料を得るために使用され、そしてこの検出装置は、電気化学的検出要素を備えるバイオセンサーを包含する。特に好ましい実施態様では、サンプリング装置は、生体系から断続的に経皮的または経粘膜的に試料を得るために使用され、そして標的検体はグルコースである。
【０１１６】
より詳細には、非侵襲性グルコースモニタリング装置は、幅広い範囲のグルコース濃度に渡って動物の被験体中のグルコースレベルの変化を測定するために使用される。サンプリング方法は、経皮的グルコース抽出に基づき、検出方法は、電気化学的検出技術に基づく。この装置は、生体系に持続的に接触され得、予めプログラムされた間隔でグルコース濃度を測定するために自動的にグルコース試料を得る。
【０１１７】
サンプリングは、患者の皮膚を通して非侵襲的にグルコースを抽出することによって断続的に行われる。より詳細には、イオン注入電流が、被験体の皮膚表面に適用される。この電流が適用される場合、イオンまたは荷電した分子は、グルコースのような他の荷電していない分子または粒子に沿って引き合い、これは、皮膚の表面上に置かれた採集槽に引き出される。採集槽は、任意のイオン的に導電性の物質を包含し、好ましくは親水性物質、水および電解液を含むヒドロゲルの形態である。
【０１１８】
採集槽は、さらに容易に検出可能な種を形成するためのグルコースの反応を触媒する酵素を含み得る。酵素は、好ましくはグルコースと酸素との間の反応を触媒するグルコースオキシダーゼ（ＧＯｘ）であり、過酸化水素の生成となる。過酸化水素は、バイオセンサー電極の触媒表面で反応し、検出可能なバイオセンサー電流（未処理信号）を生成する電子の発生となる。所定の時間の間に渡って生成するバイオセンサー電流の量に基づいて、測定が行われ、この測定は、所定の時間の間に渡って採集槽に引き出されたグルコースの量に関する。好ましい実施態様において、採集槽中の実質的に全てのグルコースが反応を受け、それ故、もはや検出されなくなるまで、この反応を続けさせ、生じたバイオセンサー電流が、試料採取のおよその時間の被験体中のグルコースの濃度に関連付けられる。
【０１１９】
この反応が完了されるとき、このプロセスが繰り返され、引き続く測定が得られる。より詳細には、イオン注入電流が再び適用され、グルコースが皮膚表面を通して採取槽に引き出され、そしてこの反応は、バイオセンサー電流を作るために触媒される。これらのサンプリング（抽出）および検出操作は、グルコースがＧＯｘ酵素と接触するヒドロゲル採取パッド中に抽出されるように組み込まれる。ＧＯｘ酵素は、ヒドロゲル中のグルコースおよび酸素をセンサーに拡散する過酸化水素に変換し、センサーによって触媒され、酸素を再生し電子を形成する。この電子は、測定され、分析され、そして血糖に関連され得る電気信号を生じる。
【０１２０】
必要に応じて、１以上の追加の「活性な」採集槽（それぞれＧＯｘ酵素を含む）は、測定を得るために使用され得る。１つの実施態様において、２つの活性な採集槽が使用され、それぞれの測定時点について槽からの信号間で平均が取られる。複数の信号を得、そして次いでそれぞれの信号からの読みを平均化することによって、信号について、センサーからの異常なデータ点（データスクリーニング技術によってそれ以外検出され得なかった）の平滑化が可能となる。さらに、皮膚部位の可変性が検出され得、抽出されたグルコースの変化に対する血糖の変化の「遅れ」および／または「進み（ｌｅａｄ）」の差が、軽減され得る。別の実施態様では、第２の採取槽に、ＧＯｘ酵素を含まないものを与え得る。この第２の槽は検出装置の内部基準（ブランク）として役立ち得、ここで、バイオセンサーは、基準槽から「ブランク」信号を測定するために使用され、この信号は、次いで、以下に記載されるブランク減算工程に使用される。
【０１２１】
生理学的な検体の断続的なモニタリングのための一般化された方法は、１９９７年７月１０日に公開された国際出願番号ＷＯ９７／２４０５９に開示される。その公報に記載されるように、検体が、好ましくは１９９７年１月３０日に公開された国際公開番号ＷＯ９７／０２８１１に記載されるタイプの親水性物質を含有する、ヒドロゲルを含む槽に抽出される。適切なヒドロゲル物質には、ポリエチレンオキシド、ポリアクリル酸、ポリビニルアルコールおよび水性ゲルを形成するために水と結合される関連する親水性のポリマー材料が挙げられる。
【０１２２】
上記の非侵襲性グルコースモニタリング装置では、バイオセンサー電極は、皮膚と接触する面の反対側のヒドロゲルの面上に位置する。センサー電極は、酸化還元反応中の過酸化水素によって発生する電流を検出する検出器として作用し、つまりより詳細には、電極の白金表面によって触媒される酸化還元反応によって発生する電子によって生じる電流を検出する。グルコースのイオン注入抽出についてのこのような電極アセンブリおよび装置の詳細は、１９９６年１月４日に公開された国際公開番号ＷＯ９６／００１１０および１９９７年３月２日公開されたＷＯ９７／１０４９９に開示される。
【０１２３】
ここで、図１Ａおよび１Ｂを参照すると、経皮的検出装置での使用のためのイオン注入採集槽および電極アセンブリが一般的に２で示される。このアセンブリは、２つのイオン注入採集槽（４および６）を含み、それぞれはその中にそれぞれ配置される導電性媒体（８および１０）（好ましくは円柱状のヒドロゲルパッド）を有する。第１（１２）および第２（１４）の環状イオン注入電極は、それぞれ導電性媒体８および１０と接触する。第１イオン注入電極１２は、３つのバイオセンサー電極を取り囲み、これらのバイオセンサー電極はまた導電性媒体８、作用電極１６、基準電極１８、および対電極２０と接触する。ガードリング２２は、バイオセンサー電極をイオン注入電極１２から分離し、イオン注入回路からのノイズを最小化する。導電性の接触は、電極と付随する電源と以下に詳細に記載される制御手段との間に連絡を与える。同様なバイオセンサー電極の配列は、導電性媒体１０と接触され得、またはこの媒体は、そこと接触されるセンサー手段を有し得ない。
【０１２４】
ここで、図２を参照すると、イオン注入サンプリングシステムの好ましい実施態様の重要な構成要素の分解図が示される。図２において、図１Ａおよび１Ｂのイオン注入採集槽および電極アセンブリ２が、適切なイオン注入サンプリング装置ハウジング３２と組み合わせた分解図で示される。ハウジングは、プラスチックのケースまたは、好ましくは腕時計と同様の様式で被験体の腕につけられるように構成される適切な他の構造であり得る。見られ得るように、導電性媒体８および１０（ヒドロゲルパッド）は、アセンブリ２から分離可能である；しかし、アセンブリ２およびハウジング３２が操作性のイオン注入サンプリング装置３０を与えるために組み立てられた場合、この媒体は、電極と電気的な接触を与えるために接触する。
【０１２５】
１つの実施態様では、電極アセンブリは、図３に示すように二形式電極を含み得る。
【０１２６】
ここで、図５を参照すると、イオン注入サンプリングシステムの１つの実施態様（例えば、自動センサー（ａｕｔｏｓｅｎｓｏｒ）アセンブリの１つの実施態様）の重要な構成要素の分解図を示す。このサンプリングシステムの構成要素は、２つのバイオセンサー／イオン注入電極アセンブリ（５０４および５０６）を含み、これらはそれぞれ、５０８および５１０でそれぞれ示される環状イオン注入電極を有し、５０８および５１０は、バイオセンサー５１２および５１４を取り囲む。この電極アセンブリ５０４および５０６は、センサートレイ５１８内に維持されるポリマー性基板５１６上にプリントされる。採集槽アセンブリ５２０は、電極アセンブリ上に配置され、ここで、この採集槽アセンブリは、ゲル保持層５２６およびマスク層５２８によって保持される２つのヒドロゲル挿入物５２２および５２４を含む。
【０１２７】
１つの実施態様では、電極アセンブリは、図３に示すようにバイモーダルの電極を含み得る。図５の実施態様への改変および追加は、本発明の明細書の教示において当業者に明らかである。
【０１２８】
本明細書中に記載される構成要素は、通常の腕時計のようにつけられるように構成される自動サンプリング装置における使用を意図する。１９９６年１月４日に公開された国際公開番号ＷＯ９６／００１１０に記載されるように、腕時計のハウジング（図示されず）は、周期運動（ｃｙｃｌｉｎｇ）を制御し、イオン注入電極に動力を与え、バイオセンサー電極表面に作られる電気化学的信号を検出するための、イオン注入電極とバイオセンサー電極とを連絡する導電性のリード線を含む。腕時計のハウジングは、さらに適切なエレクトロニクス（例えば、マイクロプロセッサ、メモリ、ディスプレイおよび他の回路構成要素）および自動サンプリングシステムを操作するための電源を含む。
【０１２９】
図２の実施態様への改変および追加は、本発明の明細書の教示において当業者に明らかである。
【０１３０】
電源（例えば、１以上の再充電可能なまたは再充電不可能な電池）は、ハウジング３２内または帯紐（ｓｔｒａｐ）３４（これは、被験体の皮膚または粘膜表面と接触して装置を保持する）内に配置され得る。使用時に、電位（直流またはより複雑な波形のいずれか）が、２つのイオン注入電極１２と１４との間に適用され、その結果、電流は、第１のイオン注入電極１２から、第１の導電性媒体８を通って、皮膚または粘膜表面に流れ、そしてそれから第２の伝導性媒体１０を通って、第２のイオン注入電極１４に戻る。電流は、標的検体を含む物質を皮膚を通して採取槽４および６の一方または両方に抽出するのに十分である。電位は、任意の適切な技術を使用して適用され得、例えば、適用される電流密度は、約０．０１〜０．５ｍＡ／ｃｍ２の範囲であり得る。好ましい実施態様では、装置は、断続的または持続的モニタリングのために使用され、イオン注入電極１２および１４の極性は、それぞれの電極が交互にカソードまたはアノードであるように１０秒ごとに約１回切り替え〜１時間ごとに１回切り替えの速さで交替する。ハウジング３２は、さらに任意の温度検出要素（例えば、サーミスタ、温度計、または熱電対装置）を含み、この温度検出要素は、以下に詳細に記載されるように、センサーの信号の温度補正を可能にするために採集槽の温度をモニターする。このハウジングはまた、任意の伝導性検出要素（例えば、組み込まれた１対の電極）を含み、伝導性検出要素は、また以下に詳細に記載されるように、センサー信号のデータスクリーニング補正または取り消しを可能にするために、皮膚または粘膜表面の伝導性をモニターする。
【０１３１】
適切なイオン注入抽出期間の後に、センサー電極セットの一方または両方が、標的検体を含む抽出された物質を検出するために活性化され得る。イオン注入サンプリング装置３０の操作は、コントローラ３６（例えば、マイクロプロセッサ）によって制御され、このコントローラは、イオン注入電極、センサー電極、電源、任意の温度および／または伝導性検出要素、ディスプレイおよび他のエレクトロニクスと接続する。例えば、コントローラ３６は、イオン注入電極を動かすためのプログラム可能な制御回路源／シンクドライブを含み得る。電圧および基準電圧が、センサー電極に与えられ、信号増幅が作用電極（単数または複数）からの信号を処理するために使用され得る。一般的に、コントローラは、検出期間の間イオン注入電流ドライブを中断する。センサー信頼（ｃｏｎｆｉｄｅｎｃｅ）ループは、適切な操作を保証するためにサンプリングシステムを断続的にモニターリングするために与えられ得る。
【０１３２】
さらなる局面では、サンプリング装置は、第１および第２のバイモーダル電極（図４、４０および４１）および２つの採集槽（図４、４７および４８）を使用して、交互する極性モードを操作し得る。それぞれのバイモーダル電極（図３、２３；図４、４０および４１）は、操作の相に依存する２つの機能の役に立つ：（１）検体をソースから採集槽（水および電解質を含む）にそして電極サブアセンブリの部位に電気的に引き出すために使用される電気−浸透圧電極（またはイオン注入電極）；および（２）化学化合物が検出電極の表面で触媒的に転換され、電気信号を生み出す第１検出電極に対する対極として。
【０１３３】
基準電極（図４、４４および４５；図３、３２）および検出電極（図４、４２および４３；図３、３１）ならびにバイモーダル電極（図４、４０および４１；図３、２３）は、検出の間、標準的なポテンシオスタット回路に接続される。一般的に、システムの実際的な制限は、バイモーダル電極が対極とイオン注入電極との両方として同時に作用しないことを必要とする。
【０１３４】
イオン注入サンプリングシステムの一般的な操作は、２相の周期的な反復である：（１）逆イオン注入相、続いて（２）検出相。逆イオン注入相の間、第１ののバイモーダル電極（図４、４０）は、イオン注入カソードとして作用し、第２のバイモーダル電極（図４、４１）は、イオン注入アノードとして回路を完成するために作用する。検体は、槽（例えば、ヒドロゲル（図４，４７および４８））に採集される。逆イオン注入相の終わりに、イオン注入電流が遮断される。検出相の間、グルコースの場合、電位が基準電極（図４、４４）と検出電極（図４、４２）との間に適用される。化学信号は、電流を生み出す第１検出電極（図４、４２）の触媒表面上で触媒的に反応し、一方、第１バイモーダル電極（図４、４０）は、電気回路を完成させるために対極として作用する。
【０１３５】
記載される電極は、ヒドロゲルマトリックス中に存在する酵素グルコースオキシダーゼと回収されたグルコースとの反応を介して、被験者中のグルコースレベルをモニタするための、ヒドロゲル採集槽システムと共の使用に、特に適応される。
【０１３６】
二形式（ｂｉ−ｍｏｄａｌ）電極は、好ましくはＡｇ／ＡｇＣｌからなる。この電極の表面で生じる電気化学的反応は、電流についての容易なソースまたはシンクとして役立つ。この性質は、特に、電極のイオン注入機能のために重要である。この反応を欠くと、イオン注入電流によって水の加水分解がイオン注入電極で生じ、ｐＨ変化および可能な気泡生成が生じる。酸性または塩基性ｐＨへのこのｐＨ変化は、皮膚刺激または熱傷の原因となる。吸い込み電流源として容易に機能するＡｇ／ＡｇＣｌ電極の能力はまた、その対電極機能のための有利な要因である。正確に機能する三電極電気化学セルのために、対電極の電流発生容量は、検出電極での反応速度を制限するべきでない。大きな検出電極の場合、この対電極は、比例してより大きな電流を発生し得る。
【０１３７】
サンプリングシステムの設計は、以前設計されたものより大きな検出電極（例えば、図３を参照）提供する。結果として、二形式電極のサイズは、検出電極に関して対電極として機能する場合、対電極が検出電極触媒表面での触媒反応速度を制限しないように、十分であるべきである。
【０１３８】
対電極が検出電極での電流を制限しないことを確実にするために、以下の２つの方法がある：（１）二形式電極は、検出電極よりもずっと大きく作製される方法、または（２）容易な対反応が提供される方法。
【０１３９】
可逆のイオン注入相の間に、電源は、槽への化学信号の抽出を促進するために、第一の二形式電極へ電流を提供する。検出相の間に、電源は、第一の検出電極へ電圧を提供するために使用され、槽に保持された化学信号が検出電極の触媒表面での電気信号に変換される。電源はまた、固定電位を電極（ここで、例えば過酸化水素が酸素分子、水素イオン、および電子に変換される）に維持し、これは検出相の間での基準電極の電位と比較される。１つの検出電極が検出モードで操作されている間、それは、対電極（ここで検出電極で発生した電子が消費される）として機能する隣接の二形式電極に電気的に接続される。
【０１４０】
電極サブアセンブリは、各電極がイオン注入電極および対電極の両方として機能し得るような二形式電極を、適切な検出電極（単数または複数）および基準電極（単数または複数）と電気的に接続することによって操作され得、標準ポテンシオスタット回路を作る。
【０１４１】
ポテンシオスタットは、三電極電気化学セル内での電気化学測定に使用される電気回路である。電位は、基準電極と検出電極との間に印加される。検出電極で発生した電流は、回路を通り、対電極へ流れる（すなわち、基準電極を通って電流は流れず、その平衡電位を変化させる）。２個の独立のポテンシオスタット回路は、２個のバイオセンサーを操作するために、使用され得る。本発明のサンプリングシステムの目的のために、検出電極サブアセンブリで測定される電流は、化学信号の量と相互に関係がある電流である。
【０１４２】
長時間の断続的操作に関して、Ａｇ／ＡｇＣｌ電極は、本明細書中で提供され、これは、所望でない電気化学副反応（これは、ｐＨの変化、ならびに水の加水分解に起因する水素および酸素の遊離を引き起こし得る）なしで機能する可逆の対を繰り返し形成し得る。このため、本発明のサンプリングシステムのＡｇ／ＡｇＣｌ電極は、電流通過の繰り返しサイクルによく耐えるように、電極面積１ｃｍ２あたり約０．０１〜１．０ｍＡの範囲で処方される。電気化学的高純度に関して、Ａｇ／ＡｇＣｌ成分は、採集槽内の成分（例えば、ヒドロゲル組成物）による攻撃（例えば、可塑化）に敏感でない電極組成物を提供するように、適切なポリマー結合剤内に分散される。この電極組成物はまた、分析的−または電子−グレード試薬および溶媒を使用して処方され、そしてポリマー結合剤組成物は、バイオセンサーへ拡散して、バックグランド電流を生成し得る、電気化学的に活性な汚染物質がないように、選択される。
【０１４３】
Ａｇ／ＡｇＣｌイオン注入電極は、長時間にわたる断続的サイクルが可能でなければならないので、電極内で有効のＡｇおよびＡｇＣｌの絶対量、ならびに全Ａｇ／ＡｇＣｌ可用率は、多量の電荷の通過を提供するように調整され得る。本明細書中で記載されるサンプリングシステムに限定されないが、Ａｇ／ＡｇＣｌ率は、単一に達し得る。０．１〜０．３ｃｍ２の幾何学的面積を有するバイオセンサーを使用する好ましいシステム内で機能するために、イオン注入電極は、０．３〜１．０ｃｍ２、好ましくは約０．８５ｃｍ２のおおよその電極面積を提供するように構成される。これらの電極は、約０．０１〜１．０ｍＡ／電極面積１ｃｍ２の範囲の電流密度での、再現性のある繰り返しサイクルの電荷通過を提供する。より好ましくは、上記の処方パラメータに従って構成され、そして０．８５ｃｍ２のおおよその電極面積を有する電極は、２４時間で４８サイクルに対して、約０．３ｍＡの電流（０．３５ｍＡ／ｃｍ２の電流密度）で、２７０ｍＣの再現性のある総電荷通過（アノード方向およびカソード方向にて）が可能である。
【０１４４】
一旦処方されると、バイオセンサー電極組成物に関して上述されたように、Ａｇ／ＡｇＣｌ電極組成物は、適切な硬質または軟質な非伝導性表面へ添付される。銀（Ａｇ）下層が、まず、その表面へ塗布され、均一伝導を提供する。次いで、このＡｇ／ＡｇＣｌ電極組成物は、種々の薄膜技術（例えば、スパッタリング、蒸着、気相蒸着など）を使用して、または種々の厚膜技術（膜積層法、電気めっき法など）を使用して、適切なパターンまたはジオメトリーで、Ａｇ下層上に塗布される。あるいは、Ａｇ／ＡｇＣｌ組成物は、スクリーン印刷、パッド印刷、インクジェット法、トランスファロール印刷、または同様の技術を使用して、塗布され得る。好ましくは、Ａｇ下層およびＡｇ／ＡｇＣｌ電極両方が、ポリマー性基板上への低温スクリーン印刷を使用して、塗布される。この低温スクリーン印刷は、約１２５℃〜１６０℃で実施され得、そしてこのスクリーニングは、適切なメッシュ（約１００〜４００ｍｅｓｈの範囲）を使用して、実施され得る。
【０１４５】
ユーザー制御は、ハウジング３２に配置されるプッシュボタンを使用して実施され得、そして任意の液晶表示器（ＬＣＤ）は、可視プロンプト、読出し（ｒｅａｄｏｕｔ）および可視警報表示（ｖｉｓｕａｌ　ａｌａｒｍ　ｉｎｄｉｃａｔｉｏｎ）を提供し得る。マイクロプロセッサは、一般的に、サンプリング装置の動作を制御するための一連のプログラム系列（ｓｅｑｕｅｎｃｅ）を使用し、このプログラム系列は、マイクロプロセッサーの読取り専用記録装置（ＲＯＭ）に貯蔵され得る。埋込みソフトウェア（ファームウェア）は、測定および表示動作の活性化、検体読込みの較正、高いおよび低い検体値警報のセッティングならびに表示、日時機能の表示およびセッティング、警報時間、ならびに貯蔵された読込みの表示を制御する。センサー電極から得られるセンサー信号は、１個以上の信号による貯蔵および表示が機能またはアルゴリズム（これらは以下に詳細に記載される）を処理する前に、処理される。マイクロプロセッサーはまた、較正パラメータ貯蔵のための、電子的に消去可能な、プログラム可能な、読取り専用装置（ＥＥＰＲＯＭ）、ユーザーセッティングおよび全ダウンロード可能な系列を含み得る。
【０１４６】
（工程Ｂ：データスクリーニング方法論）
上記のグルコースモニター装置から得られる未処理信号は、血液グルコースと関連しない弱いまたは不正確な信号を指し示す予想される挙動からの偏差を検出するためにスクリーニングされ得る。このデータスクリーニングにおいて弱いまたは不正確と認められる信号は、データ保全性を維持するために、任意の信号処理および／または変換の前に、捨てられるかまたは補正され得る。本発明の方法において、客観的な一連の選択判定基準（ｓｅｌｅｃｔｉｏｎ　ｃｒｉｔｅｒｉａ）は確立され、これは、次いで、検出装置からの信号を受容または破棄されるために使用され得る。これらの選択判定基準は、装置および検体−特異的であり、そして特定の適用において種々の装置を試験する方法によって、経験的に、達され得る。
【０１４７】
イオン注入抽出および電気化学検出を使用する、経皮血液グルコースモニタリングの特定の状況において、以下のデータスクリーニングが使用され得る。前述したように、イオン注入抽出装置は、２個の採集槽を含み得る。このため、アクティブ／ブランクシステム（ここで、一方の槽は活性（ＧＯｘ酵素を含む）であり、もう一方の槽はブランクである）において、各槽は、イオン注入電極および検出電極を備える。アクティブ槽およびブランク槽からの信号がスクリーニングされ、アクティブ信号か、またはアクティブ信号およびブランク信号におけるエラーが、サイクルからの測定を無効にするまたは補正するために使用され得る。複合アクティブシステム（ｍｕｌｔｉｐｌｅ　ａｃｔｉｖｅ　ｓｙｓｔｅｍ）（ここで、２個以上の槽が、ＧＯｘ酵素ならびにイオン注入および検出電極を含む）において、１個以上のアクティブ槽からの信号がスクリーニングされ、そしてエラーが、サイクルからの測定を無効にするか、または補正するために使用され得る。
【０１４８】
任意の化学検出方法に関して、測定サイクル中またはその間の、あるいはブランク信号およびアクティブ信号の測定間の、温度における一過性の変化が、バックグラウンド信号、反応定数および／または拡散係数を変化させ得る。したがって、温度センサーは、時間あたりの温度変化をモニターするために使用される。時間あたりの最大温度変化（ｄ（温度）／ｄ（時間））閾値は、次いで、データスクリーニングにおいて、測定を無効にするために使用され得る。言うまでもなく、このような閾値は、任意の目的レベルにセットされ得、これは、順番に、使用される特定の抽出／検出装置、温度測定の方法、および検体の検出方法に依存して、経験的に決定される。絶対温度閾値判定基準がまた利用され、ここで、高いおよび／または低い温度極値の検出が、データスクリーニングにおいて、測定を無効にするために使用され得る。温度モニタリングは、個々の、関連した温度検出装置を使用して、あるいは、好ましくは、検出装置を統合した温度センサーを使用して、実施され得る。多数の温度検出要素が当該分野において公知であり（例えば、サーモメータ、サーミスタ、サーモカップルなど）、これは、採集槽における温度をモニタするために使用され得る。
【０１４９】
別のデータスクリーニングは、生物系の生理的状態のモニタリングに、特に、発汗閾値についてののモニタリングに限定する。この点において、発汗はグルコースを含み、そして迅速に十分な量で生じる発汗は、バイオセンサー測定の前または間に、検出される信号に影響を与え得る。したがって、センサーは、イオン注入の前、間、および／または後の時点で、ならびにグルコース検出の前、間、および／または後の時点で、所定の測定サイクルに対する発汗をモニタするために、使用され得る。次いで、客観的閾値を越える発汗レベルの検出は、データスクリーニングにおいて、弱い測定を無効にするために、使用される。多数の異なる機構が使用され得るが、皮膚コンダクタンスは、皮膚に接触する装置を用いて、容易に測定され得る。皮膚伝導率は発汗に関係する。１つの実施態様において、伝導率検出器によって測定されるような皮膚コンダクタンスが、所定のレベルよりも大きい場合、その時、対応する測定は無効にされる。
【０１５０】
本発明の実施に使用される、なおさらなるデータスクリーニングは、サンプリング／検出装置の予想される挙動を考慮に入れる。イオン注入サンプリングにおいて、例えば、その前に測定が一般的に正確さに欠ける、皮膚平衡期間（ｓｋｉｎ　ｅｑｕｉｌｉｂｒａｔｉｏｎ　ｐｅｒｉｏｄ）が存在する。この平衡期間の間、システム電圧は、客観的高電圧閾値（ｏｂｊｅｃｔｉｖｅ　ｈｉｇｈ　ｖｏｌｔａｇｅ　ｔｈｒｅｓｈｏｌｄ）に対して、評価および比較され得る。この高電圧限界が超えられる場合、データスクリーニングは、対応する検体測定を除外するために使用され、これは、イオン注入電流が、高皮膚耐性（高電圧レベルによって示唆されるような）に起因する目的の値ではないからであった。
【０１５１】
さらに、各検出サイクルの間の電気化学信号は、滑らかな、単調に減少する信号として挙動すると予想され、これは、センサー電極による過酸化水素の欠乏を表す。この予想される挙動からの有意な逸脱は、弱いまたは不正確な測定を示唆し（例えば、非単調的に減少する信号は、バイオセンサー信号における過度のノイズを示唆する）、そしてこのため、検出操作間のモニタリング信号挙動は、測定を無効にするまたは補正するために、なおさらなるデータスクリーニングを提供する。
【０１５２】
未処理信号閾値はまた、本発明のデータスクリーニング方法において、使用され得る。例えば、いくつかの最小閾値より小さい任意のセンサー読込みは、サンプリング／検出装置が正しく作動されていない、例えば、ここで、バイオセンサー電極が接続されていないということを、示唆し得る。加えて、任意の化学センサーは、装置が確実に作動し得る最大範囲を有する。いくつかの最大値より大きい読込み（ｒｅａｄｉｎｇ）は、次いで、測定が、スケール外（ｏｆｆ−ｓｃａｌｅ）であり、そしてこのため、無効であるということを示唆する。よって、最小および最大信号閾値は、測定を無効にするまたは補正するためのデータスクリーンとして、本明細書中で使用される。このような最小および最大閾値は、同様にバックグラウンド測定に適応され得る。
【０１５３】
スクリーニングの一般的なクラスは、信号、バックグラウンド、または電圧測定における変化を検出することに適用され得る。これらのスクリーニングは、測定の一貫性を評価するのに有用であり、そして測定における問題または不一致を検出し得る。エラーメッセージは、モニタリング装置上のディスプレイスクリーニングへ中継され得、そして／または、ログへ記録され得る。このようなスクリーニングの例には、以下が挙げられる：
（ｉ）信号−−ピーク安定性。センサー読込みのピークにおける大きな変化は、ノイズ信号を示唆する。任意の所定のカソードの半サイクルのピークは、第１バイオセンサーポイントと、前のアノードの半サイクルからの最後の２ポイントの温度補正された平均との間の、差異として規定される。同じセンサーからの断続的なピーク間の割合差異が、予め決定された値よりも大きい（例えば３０％）場合、その時、エラーが示唆される。
【０１５４】
（ｉｉ）バックグラウンド−−バックグラウンド精度。バイオ検出の末端での不一致の読込みは、不安定なバイオセンサー信号を示唆する。このような読込みは、特定のサイクルに対するバックグラウンド電流を評価するために使用されるので、不安定な信号は、誤ったデータポイントの原因となり得る。最後の２個のアノードのポイント（ここで、最後の２個のアノードのポイントは、典型的に、アノード抽出後測定された最後の２個のバイオセンサー電流である）間の差異が、計算するために使用される場合、ベースラインは、予め決められた値、例えば６ｎＡ（すなわち、例えば第２アノード点に対する第１アノード点の割合）より大きいか、または同じであり、その時、エラーが表示される。
【０１５５】
（ｉｉｉ）バックグラウンド−−バックグラウンド安定性。このチェックは、バックグラウンド電流が非常に過度に変化する（これは、ノイズ信号が表示され、そして不正確なグルコース読込みの結果となり得る）かどうかを測定することである。断続的なバックグラウンド測定間の差異の百分率が、予め測定された値（例えば１５％）より大きいまたは同じである場合、その時、エラーが表示される。
【０１５６】
（ｉｖ）電圧−−電圧安定性。グルコースモニタリング装置が、機械的に、妨害される場合、イオン注入電圧において、より大きな変化（例えば、通常の条件下でモニタが機能する時と比較してより大きい変化）が存在し得る。このことは、異常な読込みの原因となる得る。断続的なカソードまたはアノードのイオン注入電圧間の差異の百分率が、予め測定された値（例えば１５％）よりも大きい場合、その時、エラーが表示される。
【０１５７】
（ｖ）電圧−−基準電極チェック。電極アセンブリが、基準電極（例えば、二形式電極が利用される場合のように）を備える場合、このチェックは、基準電極の、サンプリング装置および作用電極への接続性を確立する。バイオセンサーが活性化されると、電流は、作用電極から基準電極へ流れる。測定される電流が閾値よりも小さい場合、その時、エラーが表示され、そして測定シーケンスは終了され得る。
【０１５８】
本明細書を読めば、当業者によって理解されるように、本発明の精神から逸脱せずに、多数の他のデータスクリーニングが利用され得る。
【０１５９】
（工程Ｃ：変換工程）
本発明の方法を連続して、上述のイオン注入サンプリング装置は、生物学的システムから検体を抽出するために使用され、そして未処理電流信号（例えば、ナノアンペア（ｎＡ）信号）は、関連する電気化学バイオセンサー装置から生成される。この未処理信号は、弱いまたは不正確な信号を除去するために、必要に応じてデータスクリーニング工程（工程Ｂ）にかけられ得るか、または、サンプリングシステムによって抽出された検体の量を示唆する初期信号出力を得るために、変換工程に直接入れられ得る。
【０１６０】
Ｉ．積算信号を得る方法
１．ベースラインバックグラウンド
１つの実施態様において、未処理信号またはスクリーニングした未処理信号は、その信号に存在するバックグラウンド情報を除去または補正するために、変換工程で処理される。例えば、多くのセンサー装置は、問題の検体が存在するかどうかにかかわらない信号、すなわちバックグラウンド信号を有する。１つのこのバックグラウンド信号は、「ベースラインバックグラウンド」であり、これは本明細書の電気化学検出に記載されるが、問題の検体の存在または不在と独立した検出装置によって生成された電流（ｎＡ）である。このベースラインバックグラウンドは、問題の検体の測定と干渉し、そしてベースラインバックグラウンドの量は、時間、温度および他の種々の因子によって変化し得る。さらに、電気化学的に活性な干渉種および／または残りの検体は、問題の検体の測定とさらに干渉する装置に存在し得る。
【０１６１】
このバックグラウンドは、一過性のバックグラウンドであり得、これは、問題の検体の存在または不在に無関係に生成した電流であり得、そして測定のタイムスケールでのセンサー起動時間にわたって減少し、最終的にはベースラインバックグラウンド信号に収束する。
【０１６２】
したがって、本発明の１つの実施態様において、ベースラインバックグラウンド減法方法は、測定初期信号出力からのこのようなバックグラウンド干渉を減少または除去するために、変換工程の間使用される。この減法方法は、残りの検体または／および検体（グルコース）に起因しない電気化学的信号を、実質的に減少あるいは除去するのに十分な時間、電気化学センサーの起動を必然的に伴う。適切な時間、この装置を起動させ、そして適切な信号が得られた後、次いで測定がベースラインバックグラウンド信号値を確立するために使用され得る、センサーから測定が引き出される。このバックグラウンド信号値は、補正された測定値を得るために、実際の信号測定値（これは、検体特異的成分およびバックグラウンド成分の両方を含む）から引き算される。このベースラインバックグラウンド減法方法は、以下の式を使用して表現され得、
ｉ（τ）＝ｉｒａｗ（τ）−ｉｂｋｇｎｄ（τ）
ここで、（ｉｒａｗ（τ））は、センサー（ｎＡで）によって時間τで測定された電流であり、（τ）は、センサー起動後の時間であり、（ｉｂｋｇｎｄ（τ））は、バックグラウンド電流（ｎＡで）であり、そして（ｉ（τ））は、補正した電流（ｎＡで）である。
【０１６３】
ベースラインバックグラウンド信号値の測定は、ベースラインバックグラウンド減法手順における、温度ゆらぎ、バックグラウンド信号ドリフトなどを説明するために、時間において実際の信号測定に近接して実施される。ベースラインバックグラウンド信号値は、電量信号処理と共の使用のために積算され得、または電流信号処理において不連続（ｄｉｓｃｒｅｔｅ）信号値として使用され得る。本発明の特定の実施態様において、イオン注入サンプリング装置による連続的測定は、ベースラインバックグラウンド測定に好都合な源を提供する、つまり、初期測定サイクルが完成された後、ベースラインバックグラウンド測定は、以前の測定（検出）サイクルから実施され得る。
【０１６４】
２．温度補正ベースラインバックグラウンド
本発明の更に別の実施形態で、変換工程が生態系および／またはバイオセンサーシステムにおける変動条件（例えば、生態系の温度変動、バイオセンサー素子の温度変動または、両方を合わせたもの）に対応して補正を行うために用いられる。温度は、バックグラウンド、反応定数および／または拡散係数を変更する等の、様々な方法で信号に影響を及ぼし得る。従って、多数の任意の温度補正関数が、信号に対するこれらの温度に関係する影響を減少するために用いられる。
【０１６５】
ベースラインバックグラウンド減算された信号に対して、温度の変動または誤差がもたらし得る影響を補正するために、下記の温度補正工程が実施される。更に詳細には、温度変動を補償するために測定サイクル内の各測定時点で温度測定が行われ、この情報はその時点の温度と、前回のバックグラウンド電流が測定された時の温度との差に依存して、各時点でのバックグラウンド電流を調整する温度補正アルゴリズムの基礎を作るために用いられる。この特有の温度補正アルゴリズムは、バックグラウンド電流と温度との間のアレニウス関係に基づく。
【０１６６】
温度補正アルゴリズムは、バックグラウンド電流へのアレニウスタイプの温度依存を、以下の式のとおり仮定する、
【０１６７】
【数１９】
2004000655.tif 000009
上記の式において、（ｉｂｋｇｎｄ）は、バックグラウンド電流で、（Ａ）は定数で、（Ｋ１）は「アレニウススロープ」と呼ばれ、電流が温度の変化に対してどの程度敏感であるかを示し、（Ｔ）は°Ｋの温度である。
【０１６８】
バックグラウンド電流の自然対数を温度の逆数に対してプロットすると、（−Ｋ１）の傾きを有する１次関数が提供される。公知または、導関数の値のＫ１を用いることで、以下の関数（ここでは、「Ｋ１温度補正」と呼ぶ）を用いて任意の時刻（τ）のベースライン電流を補正することが可能である、
【０１６９】
【数２０】
2004000655.tif 000010
上記の式において、（ｉｂｋｇｎｄ，ｃｏｒｒｅｃｔｅｄ）は温度補正されたベースライン電流で、（ｉｂｋｇｎｄ，τ０）は、例えば、ベースラインバックグラウンド測定温度等の、ある基準温度Ｔτ０でのベースライン電流で、（Ｋ１）は温度補正定数で、（Ｔτ）は、時刻τでの温度である。本発明の目的のために、（ｉｂｋｇｎｄ，τ０）は、通常「前回の」ベースライン電流として規定される。承知のとおり、ベースライン電流の、時刻に依存しない推定をする代わりに、Ｋ１温度補正は、バイオセンサーサイクルの途中または、その間に温度が上昇するかまたは下降するかに依存するアレニウスの方式でベースライン電流の調整をする。定数Ｋ１の決定は、学習している一連のデータに対して、バックグラウンド電流の自然対数を温度の逆数に対してプロットし、次にこのプロットを傾き（−Ｋ１）を有する線に適合させる最適解析を用いることによって行われ得る。
【０１７０】
工程Ａまたは工程Ｂによる、未処理の、またはスクリーニングされた電流測定信号は、それぞれ（上述のベースラインバックグラウンド減算および／またはＫ１温度補正をされたかされていないかに関わらず）、積分された電量分析信号を提供するために、変換工程で任意に精製され得る。本発明の１つの特定の実施形態において、任意の上記電流測定信号（例えば、センサが発生した電流）は、電気化学反応により生成された電荷を得るに、センサが発生した電流の時間積分を表す電量分析信号（ナノクーロン（ｎＣ））に変換される。
【０１７１】
１つの実施形態では、積分は電量分析（電荷測定）モードでバイオセンサーを作動させることにより実施される。測定の間にバイオセンサーの電極を通過する電荷の総量を測定することは、電流を数学的に時間積分することと同じである。電量分析モードで作動させることで、温度変動に起因する拡散定数の変化と、不均等または不均一な槽の厚みが原因で起こる拡散径路長の起こり得る変化と、センサの感度の変化は積分された信号にはほとんど影響しない。一方で、これらのパラメータは単一の点での（電流）測定に対してはより大きな影響を及ぼし得る。あるいは、関数的に等価な電量分析測定は、任意の、好ましくは短い、時間間隔で、離散的な電流測定をすることと、そして、時間−電流曲線の積分を近似する複数のアルゴリズムのいずれかを用いることによって、本発明の方法で数学的に得られる。例えば、積分された信号は以下のように得られる、
【０１７２】
【数２１】
2004000655.tif 000011
上記の式において、（Ｙ）は積分された信号（ナノクーロン）で、（ｉ（τ））が時刻τでの電流で、補正されていない未処理信号ｉｒａｗ（τ）または、ベースラインバックグラウンド減算がなされた信号ｉｒａｗ（τ）−ｉｂｋｇｎｄ（τ）または、ベースラインバックグラウンド減算がなされ、温度が補正された信号ｉｒａｗ（τ）−ｉｂｋｇｎｄ、ｃｏｒｒｅｃｔｅｄ（τ）と同じであり得る。
【０１７３】
３．アクティブ対ブランク積分の温度補正
追加の温度補正アルゴリズムは、ここでは過渡的なバックグラウンド（ブランク）信号の温度依存を補償するために用いられ得る。すなわち、上記において例示されたアクティブ／ブランクサンプリングシステムで、検体測定（血糖）はアクティブ信号を積分することおよび、そこからブランク信号を減算すること（後述のブランク減算法を参照）によって生成される。ブランク積分は、ブランク信号がアクティブ信号よりも高い温度と低い温度のいずれで測定されたかに依存して「人為的に」高く、または低くあり得る。ブランク積分をアクティブ信号が測定された温度に正規化するために、以下の関数が用いられ得る（ここでは、「Ｋ２温度補正」と呼ぶ）、
【０１７４】
【数２２】
2004000655.tif 000012
上記の式において、（Ｙｂｌａｎｋ，ｃｏｒｒｅｃｔｅｄ）は補正されたブランク積分で、（Ｙｂｌａｎｋ）は補正されていないブランク積分（ナノクーロン）で、（Ｋ２）は「ブランク積分補正定数」で、（Ｔｎａｃｔ）および（Ｔｎｂｌａｎｋ）はそれぞれアクティブおよびブランク信号の平均温度である。平均温度は、ｎもまた調整可能パラメータであるような最初のｎ個の温度を平均することで得られる。定数Ｋ２の決定は、最初のｎ個の温度の値の平均の逆数を用いて、１／Ｔｎｂｌａｎｋに対するブランク積分の対数のアレニウスプロットを行い、次にこのプロットを傾き（−Ｋ２）を有する線に適合する最適解析を用いることで得られる。
【０１７５】
変換工程の間に実施され得る別の温度補正は次のとおりである。積分の平均温度補正が用いられる１つの実施形態で、各測定サイクルについての積分平均温度は下記の関数により決定され、
【０１７６】
【数２３】
2004000655.tif 000013
その後の時点における温度の補正には下記の関数が用いられる、
【０１７７】
【数２４】
2004000655.tif 000014
上記の式において、（Ｙｔ）は時刻ｔにおける補正されていない信号で、（Ｙｔ，ｃｏｒｒｅｃｔｅｄ）は時刻ｔにおける補正された信号で、（＜Ｔｔ＞）は時刻ｔにおける積分の平均温度で、（＜Ｔｒｅｆ＞）は基準時間（例えば、較正時間）における積分の平均温度で、（ｔ）はセンサ測定が最初に開始された後の時刻で、そして（ａ）はデータに適合する調整可能パラメータである。
【０１７８】
別の実施形態では、温度補正関数が複数のアクティブ信号間、またはアクティブ信号とブランク信号との間の温度差の補正に用いられ得る。例えば、ここで例示されるアクティブ／ブランク検出装置で、ブランクの減算は、アクティブ信号の温度依存の大半を相殺するために用いられる。しかしながら、モニタリング期間の温度の遷移性はバックグラウンド電流を結果的に変動させ、それにより電流がその時その時の変換工程において総積分時間で乗算されると、結果として信号誤差が起こる。これは、アクティブおよびブランク積分が時間においてばらばらで、それゆえ異なる温度で起こった数組のバックグラウンド電流の値を含む可能性がある時に特に真実である。
【０１７９】
４．陽極の減算
また更に別の温度補正で、測定サイクルの間に交互に起こる陽極と陰極の相で、アクティブおよびブランクの槽で行われる温度測定は、信号に対する温度変動の影響を和らげるための減算法で用いられる。この点について、アクティブ／ブランク槽イオン注入サンプリングシステムは、測定サイクルの期間中、陽極と陰極相との間にアクティブおよびブランクの槽を交互に行う条件下で実行され得る。これにより、ブランクの陽極信号がアクティブ陰極信号と同時に測定されることが可能になり、温度の変化は２つの信号に、恐らく同様の影響を与えるであろう。よって、温度補正関数はバックグラウンドへの温度の影響をなくすために、調整された（陰極信号と同時に測定された）陽極信号を陰極信号から減算する。さらに詳細には、ブランク陰極信号の部分的な減算を含む複数の関連する温度補正関数は、以下のとおり要約される、
【０１８０】
【数２５】
2004000655.tif 000015
上記の式において、（Ｙａｃｔ，ｃａｔｈ）は陰極相のアクティブ信号（ナノクーロン）で、（Ｙｂｌａｎｋ，ａｎ）は陽極相のブランク信号（ナノクーロン）で、（Ｙａｃｔ，ａｎ）は陽極相のアクティブ信号（ナノクーロン）で、（Ｙｂｌａｎｋ，ｃａｔｈ）は陰極相のブランク信号（ナノクーロン）で、（Ｙ）は「ブランク陽極が減算された」信号で、（ａｖｅ　ｔ１，ｔ２）が２つの時点ｔ１およびｔ２で測定された信号の平均で、（ａｖｅ　ｔ１−−ｔ２）がｔ１−ｔ２の期間に測定された信号の平均で、（ｄ）が普遍的な部分加重で、一般的には時間の関数であり、（ＡＯＳ）が、標準の数学的な技術を用いて実験上で得られる普遍的な陽極オフセットで、２つの前の時点ｔ１およびｔ２から得られるデータ（すなわち、ａｖｅ　ｔ１，ｔ２）を用いて、またはｔ１−ｔ２の期間から得られるデータの平均（すなわち、ａｖｅ　ｔ１−−ｔ２）を用いて任意に調整される。
【０１８１】
本発明のまた更なる実施形態で、変換工程はブランク減算工程と２つのアクティブ槽からの組み合わされたデータおよび／または平滑化工程を含む。
【０１８２】
ブランク減算工程は、検体に関係のない信号成分を除去する目的で、アクティブ信号からブランク信号を減算するために用いられる。これによって、よりクリアな検体信号が得られる。未処理信号が２つのアクティブ槽から得られる時、２つの未処理信号は平均されるか、または２つの未処理信号の合計された値が用いられ得る。平滑化工程で、アクティブおよびブランクの採集槽から得られる信号を個々に平滑化する数学的変換が実行される。これらの平滑化するアルゴリズムは、実際の求められた信号を維持する一方で、不要なノイズを減らすために装置から得られた信号測定を補正することを可能にすることによって、バイオセンサーにおける信号とノイズの比率を改善することを助ける。
【０１８３】
更に詳細には、ブランク減算工程は、以下の本発明のアクティブ−ブランクイオン注入サンプリングシステムで用いられる。アクティブ（第１の）槽からの信号と同時または、ほぼ同時に測定されるブランク（第２の）槽からの信号は、明確には検体に関連しないアクティブ信号からの信号成分を実質的に除去するために用いられる。この点について、ブランク槽は、アクティブ槽と同じ構成要素のうちのＧＯｘ酵素を除くすべてを含み、よってブランク信号は、検体に関連づけられた信号を除いて、アクティブ信号と同様の電気化学電流を与える。したがって、下記の関数がアクティブ信号からブランク信号を減算するために用いられる、
Ｙｔ＝Ｙｔ，ａｃｔ−ｄ＊Ｙｔ，ｂｌａｎｋ
上記の式において、（Ｙｔ，ａｃｔ）は、時刻ｔにおけるアクティブ信号（ナノクーロン）で、（Ｙｔ，ｂｌａｎｋ）が時刻ｔにおけるブランク信号（ナノクーロン）で、（Ｙｔ）は時刻ｔにおける「ブランク減算された」信号で、（ｄ）がブランク信号に対する時間に依存した部分加重で、望ましくはｄ＝１である。アクティブ信号からブランク信号を減算するために用いられる上記の等式に関連して、２つのアクティブ槽が用いられるときに、望ましくはｄ＝−１であり、またはより一般的には、下記の等式で示されるとおり、各槽からの信号の異なる寄与を考慮するために合計された信号が「加重され」る。
【０１８４】
２つのアクティブ槽の場合、各槽は未処理信号を発生させることができ、それぞれが同じ構成要素のすべてを含む。例えば、２つの採集槽がグルコースを検知するために用いられる場合、両方の槽はグルコースオキシダーゼを含む。従って、下記の関数が用いられる、
Ｙｔ，ε＝ａＹｔ，ａｃｔ１＋ｂＹｔ，ａｃｔ２
上記の式において、「ａ」は第１のアクティブ信号に対する時刻に依存する部分加重で、（Ｙｔ，ａｃｔ１）は、時刻ｔにおける第１のアクティブ信号（ナノクーロン）で、「ｂ」は第２のアクティブ信号に対する時間に依存する部分加重で、（Ｙｔ，ａｃｔ２）が時刻ｔにおける第２のアクティブ信号（ナノクーロン）で、（Ｙｔ，ε）が時刻ｔにおける合計された信号である。
【０１８５】
ＩＩ．積分された信号を平滑化する一般的な手続き
平滑化工程で、第１の（アクティブ）槽から得られるアクティブ信号は、平滑関数を用いて平滑化される。複数のアクティブシステムで、合計をする前に同様の平滑化が各信号にに対してなされる。１つの実施形態で、関数は下記の再帰的関数として表わされる、
Ｅｔ，ａｃｔ＝ｗａｃｔＹｔ，ａｃｔ＋（１−ｗａｃｔ）（Ｅｔ−１，ａｃｔ）上記の式において、（Ｙｔ，ａｃｔ）は時刻ｔにおけるアクティブ信号の測定値（ナノクーロン）で、（Ｅｔ，ａｃｔ）がｔ＞１（ｔ＝１の時、Ｅｔ，ａｃｔ＝Ｙｔ，ａｃｔ）の時刻ｔにおけるアクティブ信号の推定値（ナノクーロン）で、（ｗａｃｔ）がアクティブバイオセンサーに対する「推定加重」であり、０≦ｗａｃｔ≦１である。
【０１８６】
第２の槽から得られた基準（ブランク）信号も、同様の再帰的平滑関数を用いて平滑化される。この関数は、以下のとおりに表わされる、
Ｅｔ，ｂｌａｎｋ＝ｗｂｌａｎｋＹｔ，ｂｌａｎｋ＋（１−ｗｂｌａｎｋ）（Ｅｔ−１，ｂｌａｎｋ）
上記の式において、（Ｙｔ，ｂｌａｎｋ）は時刻ｔにおけるブランク信号の測定値（ナノクーロン）で、（Ｅｔ，ｂｌａｎｋ）はｔ＞１（ｔ＝１の時、Ｅｔ，ｂｌａｎｋ＝Ｙｔ，ｂｌａｎｋ）の時刻ｔにおけるブランク信号の推定値（ナノクーロン）で、（ｗｂｌａｎｋ）はブランクバイオセンサーに対する「推定加重」であり、０≦ｗｂｌａｎｋ≦１である。
【０１８７】
アクティブおよびブランク信号が一旦、個別に平滑化されると、ブランク信号は、グルコース反応のみを示す信号を得るために、アクティブ信号から減算される。上述のとおり、ブランク信号は、グルコース検体に関連づけられた信号を除いて、アクティブ信号と同様の電気化学的電流を示すべきである。本発明の実践で、このブランク減算工程は、平滑化されたブランク信号自体の値を減算し得る、または、加重されたブランク信号がアクティブ信号から減算され得る。下記の関数を用いることで、部分的な減算が得られる、
Ｅｔ＝Ｅｔ，ａｃｔ−ｄ＊Ｅｔ，ｂｌａｎｋ
上記の式において、（Ｅｔ，ａｃｔ）は時刻ｔにおけるアクティブ信号の推定値（ナノクーロン）で、（Ｅｔ，ｂｌａｎｋ）は時刻ｔにおけるブランク信号の推定値（ナノクーロン）で、（Ｅｔ）は時刻ｔにおける「ブランクが減算された」平滑化されたセンサ信号で、（ｄ）がブランク信号に対する時間に依存した部分加重である。
【０１８８】
平滑化工程とブランクを減算する工程の順序が、次のように逆になった同じ再帰的関数が用いられ得る。（Ｙｔ，ａｃｔ）が時刻ｔにおけるアクティブ信号の積分（ナノクーロン）で、（Ｙｔ，ｂｌａｎｋ）が時刻ｔにおけるブランク信号の積分（ナノクーロン）で、（Ｙｔ）が時刻ｔにおける「ブランクが減算された」センサ信号（ナノクーロン）で、（ｄ）がブランク信号に対する時間に依存した部分加重で、
Ｙｔ＝Ｙｔ，ａｃｔ−ｄ＊Ｙｔ，ｂｌａｎｋ
Ｅｔ＝ｗＹｔ＋（１−ｗ）（Ｅｔ−１）
である。
【０１８９】
この平滑化は、温度および／またはバックグラウンド減算補正があってもなくても、離散的な（ナノアンペア）センサ信号に対して代わりに実行され得る。平滑化は、アクティブ信号または複数のアクティブ信号の平均に対しても実行され得る。これらの関数に対する更なる修正は、現在効力のある開示を考えると当業者には容易に思い浮かぶであろう。
【０１９０】
（工程Ｄ：較正工程）
引き続き本発明の方法において、工程Ａで得られた任意の未処理信号、工程Ｂで得られたスクリーン未処理信号、または工程Ｃ（または工程Ｂおよび工程Ｃ）で得られた初期出力信号は、生体系に存在する検体の濃度と共に検出装置から得られた信号を相関させる較正工程を使用して検体特異値に変換できる。そのような信号を解釈するのに幅広く多様な較正技術が利用され得る。これらの較正技術は、化学分析における信号処理の問題において、数学的、統計学的および／またはパターン認識技術を適用する。例えば、ニューラルネットワーク、遺伝学的アルゴリズム信号処理、線形回帰、多重線形回帰、部分的線形回帰、逆重畳積分、または統計学的（テスト）測定の主要成分の分析などを用いる。
【０１９１】
較正の１つの方法として、推定技術がある。推定技術を用いて計器を較正するには、較正セット（例えば、基準セット）と呼ばれる公知の濃度を有する模範的測定セットが必要である。このセットは、濃度を含み、それぞれがｍ×ｎ行列（Ｘ）に含まれるｎ計器変数を有するｍサンプルおよびｍ×１ベクトル（ｙ）から成る。アプリオリ情報が、測定と濃度との間の関係は線形であると示した場合、較正は、ｎ×１変換またはマッピング（ｂ）を決定しようとし、それにより、
ｙ＝Ｘｂ
が事前に定義された基準によりｙの最適推定となる。本発明の実施における有用な数多くの適した推定技術は、公知の技術である。これらの技術は、不変のパラメータを提供するために用いることができ、これは次に測定時において、生体系に存在する検体の濃度を示す測定値を得るために数学的変換に用いることができる。
【０１９２】
１つの特定の実施形態において、較正工程は人工ニューラルネットワーク、または遺伝学的アルゴリズムを用いて実行され得る。本発明の実施にあたり用いられる特定のニューラルネットワークアルゴリズムの構造は、幅広く変化することができる。しかしながら、ネットワークには、入力層、１つ以上の隠れた層、および１つの出力層が含まれていなければならない。そのようなネットワークは、トレーニングデータセット上で最適化することができ、その後母集団に適用される。適したネットワークタイプ、伝達関数、トレーニング基準、テストおよび適用方法の数は無数にあり、これらは、本明細書を読むことにより、当業者に思いつく。
【０１９３】
上記のイオン注入グルコースサンプリング装置のコンテクストにおいて（ＧＯｘ酵素を含むアクティブコレクション槽およびブランクコレクション槽、またはＧＯｘ酵素を含む２つのアクティブ槽を含み得る）、好適なニューラルネットワークアルゴリズムは、例えば、血液グルコース測定を提供するために、下記から選択された入力を用いる。すなわち、較正以降の経過時間、アクティブ槽からの信号、ブランク槽からの信号、２つのアクティブ槽（平均または総和のどちらか）からの信号、較正時間、測定された温度、適用されたイオン注入電圧、表皮伝導度、規定された較正ポイントにおける個別の手段により決定された血液グルコース濃度、背景、較正に関連した背景、およびトレーニングモードで動作中の測定されたグルコースである。
【０１９４】
較正工程が、従来の統計学的技術またはニューラルネットワークアルゴリズムを用いて実行されるかどうか関係なく、較正工程は、一般的較正プロセス、単一ポイント較正プロセス、またはマルチポイント較正プロセスを含むことができる。本発明の１つの実施形態において、一般的較正プロセスが用いられ、これは、上記数学的技術が、モニタされている特定の生体系と関わりのない多様な背景および信号干渉を表すことにより、正確で、信頼できる検体濃度の定量化を可能とする相関因数（または相関アルゴリズム）を導出するために用いられることを特徴とする。この点に関し、一般的較正は、特定の計器反応と特定の検体濃度との間の密接な相関（すなわち、定量的な関連）を提供するために選択され、これは２つの変数が相関することを特徴とする。
【０１９５】
別の実施形態において、単一ポイント較正が用いられる。より詳しくは、単一ポイント較正プロセスは、従来の（侵襲的）方法により得られた基準測定を用いて、イオン注入サンプリング方法論により得られた測定を較正するために用いることができる。単一ポイント較正により、モニタされている特定の生体系に対して独自の変異、および使用されている特定の検出装置を表すことができる。この点に関し、一般に、経皮的サンプリング装置は、起床の際（被験体の皮膚の表面にある）生体系と接触する。装置の設置後、一定時間待機することにより、装置が通常の動作を開始できるようにすることが好ましい。
【０１９６】
さらに、サンプリングシステムは、指定時間に信号測定（または別の機能）の実行を開始できるように事前にプログラムすることができる。本特徴の１つの用途として、患者と接触するサンプリングシステムを有すること、および起床直後に較正できるように夜間に連続実行を開始するサンプリングシステムをプログラムすることが挙げられる。本特徴の１つの利点として、較正する前に、サンプリングシステムがウォームアップするのを待つ必要が全くなくなることが挙げられる。
【０１９７】
グルコースモニタリングのコンテクストにおいて、装置が通常の動作を達成すると、血液サンプルの採収が可能となるため、侵襲性血液サンプルは、測定サイクルに対応する時間周期で採収される。実際の血液グルコースレベルは、採収されたサンプルを分析するために、任意の従来の方法（例えば、比色分析法、電気化学法、分光測光法等）を用いて決定される。次に、この実際値は、単一ポイント較正プロセスにおける基準値として用いられる。この実際値は、経皮的サンプリング装置により得られた対応する測定値と比較されることを特徴とする。さらに別の実施形態において、マルチポイント較正プロセスが用いられ、これは上記の単一ポイント較正プロセスが、複数のポイント較正を提供できるように少なくとも１回繰り返されることを特徴とする。例えば、マルチポイント較正プロセスは、断続的または持続的測定期間にわたる様々な時間間隔にて実行され得る。
【０１９８】
引き続き較正工程において、工程Ｂおよび／または工程Ｃ（上述）から得られた信号は、以下のように、較正に先立ちさらなる信号処理が行われ得る。変換工程（工程Ｃ）のベースライン背景減算方法を特に参照すると、補正された信号は、理論的には、イオン注入により採収されたサンプルに存在する検体（グルコース）の量と正比例でなければならない。しかしながら、信号と基準グルコース値との間の相関関係において、時折非ゼロなインターセプトが得られる。従って、推定ゼロ血液グルコース濃度にて非ゼロ信号を表すために、変換された信号に追加可能な（正または負のいずれかであり得る）一定のオフセットタームが得られる。オフセットは、アクティブ検出器信号に追加可能である。あるいは、アクティブ信号およびブランク信号の両方を得るイオン注入サンプリングシステムの場合、オフセットはブランク減算アクティブ信号に追加可能である。
【０１９９】
較正工程は、例えば、上記の単一ポイント較正方法を用いて実行可能である。このようにして得られた基準血液グルコース濃度は、以下の変換因数に用いることができる、
【０２００】
【数２６】
2004000655.tif 000016
上記の式において、（Ｅｃａｌ）は、較正におけるブランク減算平滑化検出器信号（ｎＣ）、（ＢＧｃａｌ）は、較正における基準血液グルコース濃度（ｍｇ／ｄＬ）、（ｂｇａｉｎ）は、変換因数［（ｍｇ／ｄＬ）／ｎＣ］で、（ＯＳ）は、標準回帰分析を用いて算出可能なオフセット較正因数定数（ｎＣ）、そして、（ρ）は、較正オフセット（ｍｇ／ｄＬ）である。次に、較正後のデータは、以下の関数を用いて変換可能である、
ＥＧｔ＝ｂｇａｉｎ［Ｅｔ＋ＯＳ］−ρ
上記の式において、（ＥＧｔ）は推定血液グルコース濃度（ｍｇ／ｄＬ）である。Ｙｔのようなその他の信号値は、先立って実行された信号処理の量に応じてＥｔおよびＥｃａｌに代用可能である（例えば、上述の工程Ｃを参照されたい）。
【０２０１】
さらに信号処理はまた、検出動作で使用される特定の検出器要素に関する時間依存的挙動を補正するために使用可能である。この点に関し、（本明細書中に記載される電気化学信号測定のような）特定のタイプの信号測定は、十分に理解されていない理由により、時間の経過に応じて変化を示す。本発明は、なぜそのような時間依存的な変化が起こるのかということに関する任意の特定の理論を前提としていない。むしろ、本発明は、時間依存的挙動が起こり得ることを認識し、１つ以上の数学的関数を用いてこの挙動を補正する。
【０２０２】
従って、１つの実施形態において、補正された測定は、検体濃度の断続的または持続的測定期間における測定と測定との間、バイオ検出器信号においての時間依存的減衰に対する補正をする数学的関数を用いて算出が可能となる。補正関数は、（双方ともバイオ検出器用に実験的に決定された）１つ以上の加法的減衰パラメータ（αｉ）および１つ以上の乗法的減衰パラメータ（εｉ）を用い、以下のような式で表せる、
ＥＧｔ＝ｂｇａｉｎ［Ｅｔ（１＋εｉｔ）＋ＯＳ］＋αｉｔ−ρ
上記の式において、
【０２０３】
【数２７】
2004000655.tif 000017
および（ｔｃａｌ）は較正ポイント、（ＥＧｔ）は時間ｔにおける推定血液グルコース濃度、（Ｅｔ）は時間ｔにおける検体信号、（ＯＳ）は、（上記のような）推定ゼロ血液グルコース濃度における非ゼロ信号を表す一定のオフセットタームであり、（ε）は、時間依存的信号減衰のゲインタームであり、複数の時間セグメントを有することができ（例えば、ｉ＝１、２または３）、（α）は、時間セグメントにおける線形時間依存的信号減衰用の補正タームであり、複数の時間セグメントを有することができ（例えば、ｉ＝１、２または３）、（ｔ）は経過時間、そして（ρ）は較正オフセット（ｍｇ／ｄｌ）である。
【０２０４】
別の実施形態において、補正された測定は、一連の測定のはじめにおける信号と減衰単位とを相関させることにより、検体濃度の断続的または持続的測定期間における測定と測定との間、バイオ検出器信号においての時間依存的減衰に対する補正をする数学的関数を用いて算出が可能となる。補正関数は、加法的減衰パラメータ（α）および減衰補正因数（γ）を用いる。この等式により、時間依存的乗法的補正は、より速い速度にて減衰することが観察された信号をさらに大幅に増幅する方法にて集積信号に適用することができる（例えば、実験によると、低め目のＢＧａｉｎを与える信号は、早く減衰する傾向がある）。本明細書中に記載されているようなＢＧＡＩＮ因数の使用は、妥当な較正因数が得られることを保証できる。
【０２０５】
この実施形態において、測定時間において算出された血液グルコース値であるＥＧｔは、以下のように算出できる、
【０２０６】
【数２８】
2004000655.tif 000018
上記の式において、
【０２０７】
【数２９】
2004000655.tif 000019
ここで、ＢＧｃａｌは較正ポイントにおける真の血液グルコース、Ｅｃａｌは較正における検体信号、（ｔｃａｌ）は、較正ポイントの経過時間、（ＥＧｔ）は、時間ｔにおける推定血液グルコース濃度、（Ｅｔ）は時間ｔにおける検体信号、（ＯＳ）は（上記のように）推定ゼロ血液グルコース濃度における非ゼロ信号を表す一定のオフセットターム、（γ）は、信号減衰用時間依存的補正ターム、（α）は、信号減衰用時間依存的補正ターム、そして、（ｔ）は、経過時間である。
【０２０８】
これらの等式を用いると、「時間セグメント化」は、以下のように行われ得る。
ｔ＜ｔ１２の場合、
【０２０９】
【数３０】
2004000655.tif 000020
ｔ１２＜ｔｃａｌ＜ｔ２３の場合、
【０２１０】
【数３１】
2004000655.tif 000021
ｔ２３＜ｔｃａｌの場合、
【０２１１】
【数３２】
2004000655.tif 000022
ｔ＜ｔ１２の場合、
ＥＧｔ＝（ＢＧＡＩＮ１＋γ１ｔ）＊（Ｅｔ＋ＯＳ）＋α１ｔ
ｔ１２＜ｔ＜ｔ２３の場合、
ＥＧｔ＝（ＢＧＡＩＮ２＋γ１ｔ１２＋γ２（ｔ−ｔ１２））＊（Ｅｔ＋ＯＳ）＋α１ｔ１２＋α２（ｔ−ｔ１２）
ｔ２３＜ｔの場合、
ＥＧｔ＝（ＢＧＡＩＮ３＋γ１ｔ１２＋γ２（ｔ２３−ｔ１２）＋γ３（ｔ−ｔ２３））＊（Ｅｔ＋ＯＳ）＋α１ｔ１２＋α２（ｔ２３−ｔ１２）＋α３（ｔ−ｔ２３）
上記の式において、ＥＧｔは測定時間における血液グルコースの算出値、ＢＧｃａｌは較正ポイントにおける真の血液グルコース、ｔは、経過時間（ゆえに、ｔｃａｌは、較正ポイントにおける経過時間）、ＯＳは、オフセットパラメータで、αｉおよびγｉは、時間と共に減衰する信号を表す時間依存的補正タームである。経過時間が増すにつれ優勢となる時間補正タームを避けるため、上記のように３つの異なる時間間隔（「ｉ」）、すなわち、０から６時間（例えば、ｉ＝１）、６から１０時間（例えば、ｉ＝２）、および１０から１４時間（例えば、ｉ＝３）に対して時間補正パラメータαｉおよびγｉは、別個である。従って、ｔ１２＝６時間およびｔ２３＝１０時間となる。
【０２１２】
時間セグメント化は、非線形信号減衰タームを予測する上でさらなる柔軟性を発揮する。
【０２１３】
工程ＡからＤに記載した信号処理方法および技術は、改善された信号処理を提供するために、検体測定の間、様々な方法による組み合わせをすることができる。１つの実施形態において、アクティブ／ブランク・サンプリングシステムは、工程Ａで未処理信号を得るために用いられる。これらの未処理信号は、次に工程Ｂでスクリーニングされたデータを得るためにスクリーニングされる。次に、これらのスクリーニングされたデータは、Ｋ１温度補正を用いて温度補正され、続いて工程Ｃのベースライン減算および積分方法を用いて変換される。変換されたデータはまた、工程Ｃの平滑機能を用いて（アクティブおよびブランクの双方とも）平滑にされ、平滑データは、Ｋ２温度補正を用いて温度補正され、そして、ブランク減算が実行される。平滑および補正されたデータは続いて、単一ポイント較正を実行するために、工程Ｄの較正方法を用いて生体系における検体濃度に変換され、この時、データはまた、極めて正確な検体濃度値を得るためにオフセットおよび時間依存的挙動補正を用いて改良されることを特徴とする。
【０２１４】
別の実施形態において、２つのアクティブ槽（Ａ１／Ａ２）が用いられる場合、槽からの信号が互いに協調して変化しているかどうかを探知する「検出整合性チェック」が行われ得る。このチェックは、各槽における較正信号からの割合の変化を比較し、次に２つの槽間の信号における割合の変化の違いを算出する。この違いが、いくつかの閾値よりも大きい場合、次いで信号は互いに「トラッキング」しておらず、このデータポイントは、工程Ｂのようにスクリーニングされ得る。このチェックにより、２つの検出器間の整合性が確認される。大きな違いは、信号におけるノイズを示し得る。
【０２１５】
本発明のさらに別の実施形態において、「較正因数チェック」が使用され得る。このチェックは、過度のフィンガー・プリック（ｆｉｎｇｅｒ　ｐｒｉｃｋ）測定または不正確なエントリーに対して制御を提供し、また、妥当な較正スロープを生成したという追加的保証を提供する。一般に、較正にて算出される２つの較正因数がある。すなわち、ＢＧＡＩＮおよびＣＡＬ　ＲＡＴＩＯである。ＢＧＡＩＮが所定の閾値より小さいか、または同等である場合、あるいはＣＡＬ　ＲＡＴＩＯが所定の閾値より大きいか、または同等である場合、較正エラーが示される。そのようなエラーは、ユーザに表示され得る。例えば、較正ウィンドウがモニタのディスプレイ上に出現できる。そのようなエラーは、較正を再び行わねばならないことをユーザに示す。較正因数チェックの場合、ＣＡＬ　ＲＡＴＩＯは、以下のように算出できる、
【０２１６】
【数３３】
2004000655.tif 000023
上記の式において、ＢＧｃａｌは較正ポイントにおける真の血液グルコースで、Ｅｃａｌは、較正における検体信号で、そして（ＯＳ）は、推定ゼロ血液グルコース濃度における非ゼロ信号を表す一定のオフセットタームである。
【０２１７】
（工程Ｅ：時間予知測定）
上記技術を用いて得られた補正された検体値は、生体系内の、将来（例えば時間推定）または過去（例えば較正）の標的検体濃度を推定するのに使用され得る。ある実施形態において、工程Ａ、工程Ｂ、工程Ｃ、および／または工程Ｄの任意の組み合わせを繰り返し実行すること（前出）により、一連の検体値が得られる。これらの測定値は、その後、異なる時点（未来または過去）における未測定の検体値を推定するのに使用される。
【０２１８】
より特定的には、上記のイオン注入サンプリングプロセスが実行され、標的検体について３つ以上の測定値が得られる。これらの測定値を用いて、さらなる測定値を計算し得る。さらなる測定値は、好適には、一連の関数を用いて計算される。
【０２１９】
血液グルコースモニタリングのコンテクストにおいて、被験体における実際の（リアルタイム）グルコースレベルは、イオン注入を用いて被験体からグルコースを採収するサンプリング装置を用いて得られた、測定されたグルコースレベルとは異なる。この差分は、ある程度は、グルコース検体を採収する工程と採収されたグルコースから測定値を得る工程との間の遅延時間に起因する。この遅延時間は、装置を用いる特定の被験体、グルコースを採収する皮膚の特定の領域、使用される採集槽のタイプ、および印加電流の量等の要因に応じて変化し得る。この固有の遅延時間を補償するために、本発明の方法は、前の測定値から得られたデータおよび数学関数を用いて、将来の検体濃度がいくらであるかを推定し得る。この場合、推定された将来の読み取りは、検体レベルの「リアルタイム値」として使用され得る。
【０２２０】
別の実施形態において、較正を行うコンテクストにおけるような、数学的方法を使用して、過去の測定値を推定し得る。より特定的には、上記の経皮サンプリング装置を用いて得られた測定値が、従来の（血液採収）法によって得られた１つ以上の基準測定値に対して較正される。このような較正プロセスにおいて、実際の血液グルコースレベルは、従来の分析的方法（例えば、比色定量法、電気化学的方法、分光測光法等）を用いて採取された血液サンプルを分析することにより判定される。その後、これらの実際の測定値は、経皮サンプリング装置で得られた対応する測定値と比較され、その後、変換係数が決定される。通常の動作において、経皮サンプリング装置は、通常、起床時に、まず生体系に取り付けられる（被験体の皮膚の表面上に配置される）。装置を配置した後、この装置が通常の動作パラメータを得ることができるように、一定期間待つのが好ましく、この期間の後、装置は較正を行うことができる。しかし、（通常、最も簡単であるように）初めに装置を取り付けた時に血液が採取された場合、採取された血液サンプルから得られた基準値と比較し得る、経皮サンプリングシステムからの対応する信号は存在し得ない。この問題は、装置が初めに取り付けられた時に従来の（血液サンプル採取による）血液グルコーステストを行い、その後、従来のグルコーステストの結果に対して後で装置を較正することを可能にする推定方法を用いることにより克服し得る。
【０２２１】
本発明の実施にあたり、将来または過去の測定値を推定する多くの数学的方法が使用され得る。例えば、このような測定値を推定するために、線形または非線型回帰分析、時間系列分析、もしくはニューラルネットワークが使用され得る。しかし、将来または過去の測定値を推測するために、指数平滑法およびテイラー級数分析の新規な組み合わせが本発明において使用されるのが好ましい。
【０２２２】
多くの、他の生理学的変数が、上記技術を用いて推定される。例えば、これらの推定方法は、リアルタイムで測定できないかまたはデータが頻繁に変動を示す、それらの生理学的変数の時間推定を行うために使用され得る。生理学的関数およびそれらを特徴付ける変数の例として、（発作患者の治療における）血液粘度および血漿蛋白濃度に関連する脳血流量、ならびに、血流内の凝固因子（Ｈａｃｈｉｎｓｋｉ，Ｖ．およびＮｏｒｒｉｓ，Ｊ．Ｗ．の”Ｔｈｅ　Ａｃｕｔｅ　Ｓｔｒｏｋｅ，”　Ｐｈｉｌａｄｅｌｐｈｉａ，　ＦＡ　Ｄａｖｉｓ，　１９８５）；呼吸の異なる局面における肺気量によって測定される（喘息患者における）肺機能（Ｔｈｕｒｌｂｅｃｋ，Ｗ．Ｍ．　（１９９０）　Ｃｌｉｎ．　Ｃｈｅｓｔ　Ｍｅｄ．　１１：３８９）；心臓の電気的活動によって測定される（反復性の心停止における）心臓の活動（Ｍａｒｒｉｏｔｔ，ＨＪＬの”Ｐｒａｃｔｉｃａｌ　Ｅｌｅｃｔｒｏｃａｒｄｉｏｇｒａｐｈｙ”，　８ｔｈ　Ｅｄ．，　Ｂａｌｔｉｍｏｒｅ，　Ｗｉｌｌｉａｍｓ　＆　Ｗｉｌｋｉｎｓ，　１９８３）等が挙げられるが、これらに限定されない。推定し得る生理学的変数の他の例として、腎臓透析（尿素および血液ガスの血中濃度を追跡する）（Ｗａｒｎｏｃｋ，Ｄ．Ｇ．　（１９８８）　Ｋｉｄｎｅｙ　Ｉｎｔ．　３４：２７８）；ならびに麻酔処置（さまざまなパラメータ（例えば心拍数、血圧、麻酔の血中濃度）をモニタして麻酔の働きが止まる時間を判定する）（Ｖｅｎｄｅｒ，Ｊ．Ｓ．およびＧｉｌｂｅｒｔ，Ｈ．Ｃ．の”Ｍｏｎｉｔｏｒｉｎｇ　ｔｈｅ　Ａｎｅｓｔｈｅｔｉｚｅｄ　Ｐａｔｉｅｎｔ，”　ｉｎ　Ｃｌｉｎｉｃａｌ　Ａｎｅｓｔｈｅｓｉａ，　３ｒｄ　Ｅｄ．，　ＢａｒａｓｈらによるＬｉｐｐｉｎｃｏｔｔ−Ｒａｖｅｎ　Ｐｕｂｌｉｓｈｅｒｓ，　Ｐｈｉｌａｄｅｌｐｈｉａ，　１９９６）が挙げられる。
【０２２３】
（工程Ｆ：生理学的効果の制御）
上記技術を用いて得られた検体値はまた、生体系のある局面（例えば生理学的効果）を制御するために使用し得る。ある実施形態において、上述のように得られた検体値は、標的検体の濃度を制御するために、成分をいつ、どのようなレベルで生体系に与える必要があるかを決定するために使用される。
【０２２４】
より特定的には、血液グルコースのモニタリングのコンテクストにおいて、推定技術の使用（工程Ｅ、前出）により、リアルタイムまたは将来の血液グルコース値のいずれかの正確な推定が可能になる。これは、糖尿病性のショックまたは昏睡へと陥り得る低血糖症状における特定的な値である。連続イオン注入サンプリング装置から得られた一連の測定値、および将来の値を推定する能力を有することにより、被験体は、低血糖または高血糖症状を示す血液グルコースの変化または傾向を、それらが臨界レベルに達する前に検出し、それらを運動、食餌療法、またはインシュリン投与によって補償することが可能になる。
【０２２５】
本発明のフィードバック制御アプリケーションは、リアルタイムの血液グルコースレベル、または異なる時間における血液グルコースレベルの測定値を推定して、その後、インシュリンを給送するためのポンプを制御して、高血糖症を治療するための機能を用いることを必然的に伴う。
【０２２６】
【実施例】
本発明の装置、方法、および計算式の形成方法および使用方法の完全な開示および説明を当業者に提供するために、以下の実施例を提示したが、これらの実施例は、本発明者が自らの発明であると考える範囲を制限するものではない。使用された数字（例えば、量、温度等）についての正確さを確保するための努力がなされたが、実験上の誤差および偏差をいくらか考慮する必要がある。特に表示しない限り、割合は重量割合であり、分子量は重量平均分子量、温度は摂氏度、圧力は大気圧またはほぼ大気圧である。
【０２２７】
（実施例１）
血液グルコースの測定のための信号処理
本発明の信号処理方法を評価するために、イオン注入サンプリング装置を使用して、ヒト被験体の実験個体群から一連の５２５個の血液グルコースサンプルを採取し、未処理測定値を、本発明のデータスクリーニングおよび補正アルゴリズムを用いて得られた測定値と比較した。
【０２２８】
より特定的には、ＧｌｕｃｏＷａｔｃｈＴＭ（Ｃｙｇｎｕｓ，Ｉｎｃ．，　Ｒｅｄｗｏｏｄ　Ｃｉｔｙ，　ＣＡ）イオン注入サンプリングシステムを用いて、被験体にイオン注入サンプリングを行った。この経皮サンプリング装置は、腕時計のように装着する設計であり、イオン注入（電気浸透）を用いて、グルコース検体を、時計の下の採集パッドへと採取する。ＧｌｕｃｏＷａｔｃｈＴＭサンプリングシステムへと採取されたグルコースは、パッド内の試薬との電気化学反応をトリガして電流を生じ、この電流が検出され、測定され、そして血液グルコース濃度へと変換される。測定は連続的に行われ、組み合わされた採取および検出（測定サイクル）を、３０分に設定した。Ａｇ／ＡｇＣｌイオン注入電極に接触した２個の採集パッドを用いてイオン注入を行い、０．３ｍＡ／ｃｍ２のイオン注入電流密度および電極の電気極性を３０分の測定サイクルの途中で切り換えた。検出は、採集パッドに接触したプラチナ型バイオセンサー電極を用いて行った。ＧｌｕｃｏＷａｔｃｈＴＭサンプリングシステムの説明は、Ｉｎｓｔｉｔｕｔｅ　ｏｆ　Ｅｌｅｃｔｒｉｃａｌ　ａｎｄ　Ｅｌｅｃｔｒｏｎｉｃｓ　Ｅｎｇｉｎｅｅｒｓ　（ＩＥＥＥ）の、”Ｅｎｇｉｎｅｅｒｉｎｇ　ｉｎ　Ｍｅｄｉｃｉｎｅ　＆　Ｂｉｏｌｏｇｙ”と題された学会（カリフォルニア州スタンフォードにて開催）において配布された刊行物、Ｃｏｎｎ，Ｔ．Ｅ．（１９９７年１月１５日）　”Ｅｖａｌｕａｔｉｏｎ　ｏｆ　ａ　Ｎｏｎ−Ｉｎｖａｓｉｖｅ　Ｇｌｕｃｏｓｅ　Ｍｏｎｉｔｏｒｉｎｇ　Ｓｙｓｔｅｍ　ｆｏｒ　Ｐｅｏｐｌｅ　ｗｉｔｈ　Ｄｉａｂｅｔｅｓ”で見ることができる。
【０２２９】
計算された血液グルコース値を（ＧｌｕｃｏＷａｔｃｈＴＭサンプリングシステムから）得るのと同時に、血液サンプル（フィンガースティック）を得て、基準測定値として使用するために分析した。その結果、５２５組の対になった測定値（基準測定値および計算された測定値）が得られた。その後、基準測定値と計算された測定値（未処理の測定値、または本発明の方法を用いて一度処理した測定値のいずれか）との間で比較を行った。以下のような２つの異なる組のデータスクリーンを使用した：（ａ）最大温度の経時変化（ｄ（ｔｅｍｐ）／ｄ（ｔｉｍｅ））、発汗閾値、および単調量からの偏差閾値（下の表１において、この組の温度スクリーンを（＋）で示す）、または、（ｂ）最大温度の経時変化（ｄ（ｔｅｍｐ）／ｄ（ｔｉｍｅ））、発汗閾値、および単調量からの偏差閾値、閾値ベースラインバックグラウンドの経時変化（下の表１において、この組の温度スクリーンを（＋＋）で示す）。使用された補正アルゴリズムを以下に示す。
ＥＧｔ＝ｂｇａｉｎ［Ｅｔ（１＋εｉｔ）＋ＯＳ］＋αｉｔ−ρ
この式において、
【０２３０】
【数３４】
2004000655.tif 000024
であり、（ｔｃａｌ）は較正点であり、（ＥＧｔ）は時間ｔにおける推定血液グルコース濃度であり、（Ｅｔ）は時間ｔにおける検体信号であり、（ＯＳ）は、（上述のように）推定ゼロ血液グルコース濃度における非ゼロ信号を考慮した一定のオフセットタームであり、（ε）は、時間依存的信号減少についてのゲインタームであり、複数の時間セグメント（例えば、ｉ＝１、２、または３）を有し得、（α）は、時間セグメントにおける線形時間依存的信号減少についての補正タームであり、複数の時間セグメント（例えば、ｉ＝１、２、または３）を有し得、（ｔ）は経過時間であり、（ρ）は較正オフセット（ｍｇ／ｄｌ）である。
【０２３１】
比較において、誤差グリッド分析（Ｅｒｒｏｒ　Ｇｒｉｄ　Ａｎａｌｙｓｉｓ）（Ｃｌａｒｋｅら、（１９８７）　Ｄｉａｂｅｔｅｓ　Ｃａｒｅ　１０：６２２−６２８）を用いて装置の有効性を評価した。ここで、計算された測定値を、対応する基準測定値に対してプロットした。有効な血液グルコースモニタリング装置は、誤差グリッド分析のＡ領域およびＢ領域内に、データの大部分がＡ領域内に存在するように、約８５〜９０％よりも大きなデータを有する必要がある（Ｃｌａｒｋら、前出）。誤差グリッド分析の結果を、（Ａ＋Ｂ％）として、下の表１に示す。表から理解し得るように、本発明のデータスクリーニング法および補正アルゴリズムの組み合わせは、この有効性基準を満たした。
【０２３２】
装置の正確性の他の基準は、平均絶対誤差％（ＭＰＥ（％））である。この平均絶対誤差％は、以下の式によって与えられた個体誤差％（ＰＥ）の平均値から決定される、
【０２３３】
【数３５】
2004000655.tif 000025
この式において、ＢＧｔは基準グルコース測定値であり、ＥＧｔは計算されたグルコース測定値である。有効測定値は、約２５％以下のＭＰＥ（％）を有する必要がある。また、ＭＰＥ（％）の結果を表１に示す。表から理解し得るように、本発明のデータスクリーニング法および補正アルゴリズムの組み合わせは、この有効性の基準を満たした。
【０２３４】
計算された血液グルコース値と測定された血液グルコース値との相関関係も評価した。また、相関係数値（Ｒ）を下の表１に示す。有効測定値は、約０．８５よりも大きなＲ値を有する必要がある。表から理解し得るように、本発明のデータスクリーニング法および補正アルゴリズムの組み合わせは、実際の値と測定された値との相関が高まる関係を提供する。
【０２３５】
【表１】
2004000655.tif 000026
生体系に存在する標的化学検体の濃度を断続的または持続的に測定し、検体特定的な信号を処理して、生体系における標的化学検体の濃度に密接に相関した測定値を獲得するための方法が提供される。本発明の重要な用途の１つは、血液グルコース値をモニタリングするためのシステムにおける信号処理のための方法を含む。
【０２３６】
【発明の効果】
本発明によれば、生体系に存在する検体を断続的または持続的に測定する方法が提供される。
【０２３７】
本発明によればまた、信号処理較正工程が提供され、ここで、上記のように得られた未処理または初期信号が、公知単位の検体特定値に変換されて検出装置から得られた信号の解釈が提供される。
【０２３８】
本発明によればなおさらに、生体系に存在する検体を断続的または持続的に測定するモニタリング系が提供される。
【図面の簡単な説明】
【図１Ａ】図１Ａは、本発明に従って構築される経皮サンプリング装置に使用するためのイオン注入採集槽および電極アッセンブリの上部平面図を示す。
【図１Ｂ】図１Ｂは、図１Ａで示されるイオン注入採集槽および電極アッセンブリの側面図を示す。
【図２】図２は、図１Ａおよび１Ｂのイオン注入採集槽および電極アッセンブリを含むイオン注入法サンプリング装置の絵による表示である。
【図３】図３は、二形式電極設計の一つの実施態様の表示である。この図は、電極アッセンブリ３３の上方概略図を示す。この図では、二形式電極は２３で示され、例えば、Ａｇ／ＡｇＣｌイオン注入／カウンター電極であり得る。検出または作用電極（例えば、白金から作成される）は、３１で示される。基準電極は、２４で示され、例えばＡｇ／ＡｇＣｌ電極であり得る。この部品は、適切な非伝導性基板２５（例えば、プラスチックまたはセラミック）に取付けられる。接続パッド３５に至る導電性リード３７は、同様または異なる材料の第二の非導電性部品２６により覆われる。このような電極のこの例では、作用電極面積は約１．３５ｃｍ２である。図３における点線は、図４に示される断面概略図の平面を表す。
【図４】図４は、二形式電極が基準電極およびハイドロゲルパッドと接続されて使用され得るような二形式電極の断面概略図の表示である。この図では、部品は以下の通りである：二形式電極４０および４１；検出電極４２および４３；基準電極４４および４５；基板４６；およびハイドロゲルパッド４７および４８。
【図５】図５は、本発明の自動サンプリング系の好ましい実施態様の分解した描画による表示である。
【図１Ａ】
2004000655.tif 000039
【図１Ｂ】
2004000655.tif 000040
【図２】
2004000655.tif 000041
【図３】
2004000655.tif 000042
【図４】
2004000655.tif 000043
【図５】
2004000655.tif 000044